(57)【要約】  ワイヤレス通信システムにおけるインターネットワークハンドオフを可能にするシステムおよび方法が説明される。本明細書で説明される様々な態様は、ソースシステムおよび／またはターゲットシステムにとって必要とされる特有の変更を最小限に抑えるために、ソースシステムを介してアクセス端末によって準備されることをターゲットシステムに可能にするハンドオフ技法（１５００）を与える。ターゲットネットワークによって理解されるフォーマットであるシグナリングメッセージをトンネリングするために、ソースシステムのプロトコルがインターワーキングユニットとともに利用され得る技法が本明細書で説明される（１５０６）。
2011523307.tif 000002
【特許請求の範囲】
【請求項１】
第１のネットワークから第２のネットワークへのハンドオフを準備するための方法であって、
第１のアクセス方法を使用して第１のネットワークとの通信を確立することと、
前記第１のネットワークから、前記第１のアクセス方法とは異なる第２のアクセス方法を利用する第２のネットワークへの、通信サービスの必要とされる変更を識別することと、
前記第１のアクセス方法のシグナリングに従って前記第２のアクセス方法のシグナリングをインターワーキングユニットに通信することによって前記第２のネットワークにおいてリソースを準備することと、
を備える方法。
【請求項２】
前記準備することは、Ｌａｙｅｒ  ３（レイヤ３：Ｌ３）トンネルを介してシグナリングを前記インターワーキングユニットに通信することを備える、請求項１に記載の方法。
【請求項３】
前記第２のネットワークは、Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（進化型ＵＴＲＡネットワーク：Ｅ−ＵＴＲＡＮ）を備え、前記準備することは、前記第２のアクセス方法のシグナリングを前記第２のネットワークにおけるＭｏｂｉｌｉｔｙ  Ｍａｎａｇｅｍｅｎｔ  Ｅｎｔｉｔｙ（モビリティ管理エンティティ：ＭＭＥ）に通信することをさらに備える、請求項１に記載の方法。
【請求項４】
シグナリングを前記ＭＭＥに前記通信することは、Ｅ−ＵＴＲＡＮプロトコルに従って前記ＭＭＥへの後続の転送のために前記Ｌ３トンネルを介してシグナリングを前記インターワーキングユニットに通信することを備える、請求項３に記載の方法。
【請求項５】
前記準備することは、
前記第２のアクセス方法に基づき且つ前記第２のネットワークに向けられたシグナリングを、それぞれのデータパケットにカプセル化することと、
前記それぞれのデータパケットを前記第１のネットワークに通信することと、
を備える、請求項１に記載の方法。
【請求項６】
前記第２のネットワークにおいてリソースを準備したときに前記第２のネットワークとの通信を確立することをさらに備える、請求項１に記載の方法。
【請求項７】
前記第１のネットワークを通して前記第１のアクセス方法を使用して前記インターワーキングユニットのアドレスを発見することをさらに備える、請求項１に記載の方法。
【請求項８】
シグナリングを前記インターネットワーキング機能に前記通信することは、前記第１のネットワークと前記インターネットワーキングユニットとの間の直接ブレークアウトによってシグナリングを前記第１のネットワークから前記インターネットワーキングユニットに通信することをさらに備える、請求項１に記載の方法。
【請求項９】
ワイヤレス通信装置であって、
第１のシステムと、前記第１のシステムによって利用される第１のアクセス方法と、第２のシステムと、前記第１のアクセス方法とは異なる、前記第２のシステムによって利用される第２のアクセス方法と、に関係するデータを記憶するメモリと、
前記第１のシステムから前記第２のシステムへの必要とされるハンドオフを識別し、前記第１のアクセス方法のシグナリングに従って前記第２のアクセス方法のハンドオフ準備シグナリングをインターネットワーキングユニットに通信することによって前記第２のシステムへの前記ハンドオフのためのリソースを準備するように構成されたプロセッサと、
を備えるワイヤレス通信装置。
【請求項１０】
前記プロセッサは、Ｌａｙｅｒ  ３（レイヤ３：Ｌ３）トンネルを介してハンドオフ準備シグナリングを前記インターワーキングユニットに通信するようにさらに構成される、請求項９に記載のワイヤレス通信装置。
【請求項１１】
前記プロセッサは、Ｅ−ＵＴＲＡＮプロトコルに従って前記ＭＭＥへの後続のトンネリング転送のためにＬ３トンネルを介してハンドオフ準備シグナリングを前記第２のシステムに通信するようにさらに構成される、請求項１０に記載のワイヤレス通信装置。
【請求項１２】
前記プロセッサは、前記ハンドオフ準備シグナリングを１つまたは複数のデータパケットとして前記第２のシステムに通信するようにさらに構成される、請求項９に記載のワイヤレス通信装置。
【請求項１３】
前記プロセッサは、前記第２のシステムへの前記ハンドオフのためのリソースを準備したときに前記第２のシステムとの通信を確立するようにさらに構成される、請求項９に記載のワイヤレス通信装置。
【請求項１４】
前記プロセッサは、前記第１のネットワークを通して前記第１のアクセス方法を使用して前記インターワーキングユニットのアドレスを発見するようにさらに構成される、請求項９に記載のワイヤレス通信装置。
【請求項１５】
前記プロセッサは、前記第１のネットワークと前記インターネットワーキングユニットとの間の直接ブレークアウトによってシグナリングを前記第１のネットワークから前記インターネットワーキングユニットに通信するようにさらに構成される、請求項９に記載のワイヤレス通信装置。
【請求項１６】
ハンドオフのためのインターアクセスシステム準備を可能にする装置であって、
第１のアクセス方法を使用して第１のネットワークとの通信を確立するための手段と、
前記第１のネットワークから、前記第１のアクセス方法とは異なる第２のアクセス方法を利用する第２のネットワークへの、通信サービスの必要とされる変更を識別するための手段と、
前記第１のアクセス方法のシグナリングに従って前記第２のアクセス方法のシグナリングをインターワーキングユニットに通信することによって前記第２のネットワークにおいてリソースを準備するための手段と、
を備える装置。
【請求項１７】
第１のアクセス方法を使用して第１のネットワークとの通信を確立することと、
前記第１のネットワークから、前記第１のアクセス方法とは異なる第２のアクセス方法を利用する第２のネットワークへの、通信サービスの必要とされる変更を識別することと、
前記第１のアクセス方法のシグナリングに従って前記第２のアクセス方法のシグナリングをインターワーキングユニットに通信することによって前記第２のネットワークにおいてリソースを準備することと、
をコンピュータに行わせるためのコードを備えるコンピュータ可読媒体、
を備えるコンピュータプログラム製品。
【請求項１８】
ワイヤレス通信システムにおけるハンドオフ準備のためのコンピュータ実行可能命令を実行する集積回路であって、前記命令は、
第１のアクセス方法を使用して第１のネットワークとの通信を確立することと、
前記第１のネットワークから、前記第１のアクセス方法とは異なる第２のアクセス方法を利用する第２のネットワークへの、通信サービスの必要とされる変更を識別することと、
前記第１のアクセス方法のシグナリングに従って前記第２のアクセス方法のシグナリングをインターワーキングユニットに通信することによって前記第２のネットワークにおいてリソースを準備することと、
を備える、
集積回路。
【請求項１９】
ワイヤレス通信システムにおけるハンドオフを管理するための方法であって、
ソースネットワークに関連するシグナリング方法に基づいて通信されたターゲットネットワークのシグナリングを識別することと、
前記ターゲットネットワークへの通信リンクを確立することと、
前記確立された通信リンクを使用して、前記ターゲットネットワークに関連するシグナリング方法に基づいて、前記識別されたシグナリングを前記ターゲットネットワークに通信することによって、前記ターゲットネットワークへのハンドオフのためのリソースを準備することと、
を備える方法。
【請求項２０】
前記準備することは、前記ソースネットワークに関連する前記シグナリング方法とは無関係であるプロトコルを使用して前記識別されたシグナリングを与えることを備える、請求項１９に記載の方法。
【請求項２１】
前記識別することは、前記ターゲットネットワークに向けられ且つ前記ソースネットワークに基づいて１つまたは複数のデータパケットとしてカプセル化された、通信されたシグナリングを識別することを備え、前記準備することは、前記１つまたは複数のデータパケットを前記ターゲットネットワークに転送することを備える、請求項１９に記載の方法。
【請求項２２】
前記準備することは、前記確立された通信リンクを使用して、前記識別されたシグナリングを前記ターゲットネットワークにおけるＭｏｂｉｌｉｔｙ  Ｍａｎａｇｅｍｅｎｔ  Ｅｎｔｉｔｙ（モビリティ管理エンティティ：ＭＭＥ）に供給することを備える、請求項１９に記載の方法。
【請求項２３】
前記確立することは、前記ソースネットワークの前記シグナリング方法とは無関係であるＥ−ＵＴＲＡＮプロトコルに基づいて前記ターゲットネットワークへの通信リンクを確立することを備える、請求項１９に記載の方法。
【請求項２４】
前記識別することが、１つまたは複数のＮｏｎ−Ａｃｃｅｓｓ  Ｓｔｒａｔｕｍ（ノンアクセスストラタム：ＮＡＳ）シグナリングメッセージを識別することを備える、請求項１９に記載の方法。
【請求項２５】
前記識別することは、Ｌａｙｅｒ  ３（レイヤ３：Ｌ３）通信トンネルを介して通信されたシグナリングを識別することをさらに備える、請求項１９に記載の方法。
【請求項２６】
ワイヤレス通信装置であって、
ソースネットワークの無線アクセスプロトコルとターゲットネットワークの無線アクセスプロトコルとに関係するデータを記憶するメモリと、
前記ソースネットワークの前記無線アクセスプロトコルを利用する前記ソースネットワークとのトンネルを介して通信された１つまたは複数のメッセージを識別し、前記ターゲットネットワークの前記無線アクセスプロトコルに従って前記トンネルを介して受信された前記識別されたメッセージを前記ターゲットネットワークに転送することによって前記ターゲットネットワークへのハンドオフのためのリソースを準備するように構成されたプロセッサと、
を備えるワイヤレス通信装置。
【請求項２７】
前記プロセッサは、前記ターゲットネットワークに関連する前記プロトコルとは異なるプロトコルを使用して前記ソースネットワークから前記識別されたメッセージを協働的にトンネリングするようにさらに構成される、請求項２６に記載のワイヤレス通信装置。
【請求項２８】
前記プロセッサは、Ｉｎｔｅｒｎｅｔ  Ｐｒｏｔｏｃｏｌ（インターネットプロトコル：ＩＰ）シグナリングを利用する前記ソースネットワークから前記トンネルを介してそれぞれのデータパケットにおいて供給された１つまたは複数のメッセージを識別するようにさらに構成される、請求項２６に記載のワイヤレス通信装置。
【請求項２９】
前記プロセッサは、前記ターゲットネットワークに関連する前記無線アクセスプロトコルとは無関係である前記ソースネットワークとの一般的なＩＰトンネルを確立するようにさらに構成される、請求項２６に記載のワイヤレス通信装置。
【請求項３０】
前記プロセッサは、前記ターゲットネットワークへのハンドオフが必要とされると判断されたときに前記ソースシステムとの前記トンネルを確立するようにさらに構成される、請求項２６に記載のワイヤレス通信装置。
【請求項３１】
前記識別された１つまたは複数のメッセージは、１つまたは複数のＮｏｎ−Ａｃｃｅｓｓ  Ｓｔｒａｔｕｍ（ノンアクセスストラタム：ＮＡＳ）シグナリングメッセージを備える、請求項２６に記載のワイヤレス通信装置。
【請求項３２】
前記トンネルは、Ｌａｙｅｒ  ３（レイヤ３：Ｌ３）トンネルである、請求項２６に記載のワイヤレス通信装置。
【請求項３３】
ワイヤレス通信システムにおけるハンドオフの準備および管理を可能にする装置であって、
ソースネットワークに関連するシグナリング方法に基づいて通信されたターゲットネットワークのシグナリングを識別するための手段と、
前記ターゲットネットワークへの通信リンクを確立するための手段と、
前記確立された通信リンクを使用して、前記ターゲットネットワークに関連するシグナリング方法に基づいて、前記識別されたシグナリングを前記ターゲットネットワークに通信することによって、前記ターゲットネットワークへのハンドオフのためのリソースを準備するための手段と、
を備える装置。
【請求項３４】
ソースネットワークに関連するシグナリング方法に基づいて通信されたターゲットネットワークのシグナリングを識別することと、
前記ターゲットネットワークへの通信リンクを確立することと、
前記確立された通信リンクを使用して、前記ターゲットネットワークに関連するシグナリング方法に基づいて、前記識別されたシグナリングを前記ターゲットネットワークに通信することによって、前記ターゲットネットワークへのハンドオフのためのリソースを準備することと、
をコンピュータに行わせるためのコードを備えるコンピュータ可読媒体、
を備えるコンピュータプログラム製品。
【請求項３５】
準備されたハンドオフを管理するためのコンピュータ実行可能命令を実行する集積回路であって、前記命令は、
ソースネットワークに関連するシグナリング方法に基づいて通信されたターゲットネットワークのシグナリングを識別することと、
前記ターゲットネットワークへの通信リンクを確立することと、
前記確立された通信リンクを使用して、前記ターゲットネットワークに関連するシグナリング方法に基づいて、前記識別されたシグナリングを前記ターゲットネットワークに通信することによって、前記ターゲットネットワークへのハンドオフのためのリソースを準備することと、
を備える、
集積回路。
【請求項３６】
通信のためのリソースを準備するための方法であって、
インターワーキングユニットとの通信リンクを確立することと、
前記インターワーキングユニットを介して前記ソースネットワークから最初に通信された中継されたシグナリングを受信することと、
前記受信したシグナリングに基づいて通信のためのリソースを準備することと、
を備える方法。
【請求項３７】
前記ターゲットネットワークは、Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（進化型ＵＴＲＡネットワーク：Ｅ−ＵＴＲＡＮ）である、請求項３６に記載の方法。
【請求項３８】
前記受信することは、前記ターゲットネットワークにおけるＭｏｂｉｌｉｔｙ  Ｍａｎａｇｅｍｅｎｔ  Ｅｎｔｉｔｙ（モビリティ管理エンティティ：ＭＭＥ）において前記中継されたシグナリングを受信することを備える、請求項３７に記載の方法。
【請求項３９】
前記受信することは、前記ソースネットワークに関連するプロトコルとは無関係のプロトコルを使用して前記中継されたシグナリングを受信することを備える、請求項３６に記載の方法。
【請求項４０】
前記中継されたシグナリングは、１つまたは複数のＮｏｎ−Ａｃｃｅｓｓ  Ｓｔｒａｔｕｍ（ノンアクセスストラタム：ＮＡＳ）シグナリングメッセージを備える、請求項３６に記載の方法。
【請求項４１】
ワイヤレス通信装置であって、
インターワーキングユニットとの通信リンクとターゲットシステムアクセス方法とに関係するデータを記憶するメモリと、
前記メモリによって記憶された前記ターゲットシステムアクセス方法を利用し且つ前記通信リンクを介して前記インターワーキングユニットから前記ワイヤレス通信装置に向けられたシグナリングを、受信するように構成されたプロセッサと、
を備えるワイヤレス通信装置。
【請求項４２】
前記プロセッサは、前記受信したシグナリングに基づいて前記ソースネットワークからのハンドオフに従って通信のためのリソースを準備するようにさらに構成される、請求項４１に記載のワイヤレス通信装置。
【請求項４３】
前記ターゲットネットワークは、Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（進化型ＵＴＲＡネットワーク：Ｅ−ＵＴＲＡＮ）である、請求項４１に記載のワイヤレス通信装置。
【請求項４４】
前記プロセッサは、前記通信トンネルを介してＭｏｂｉｌｉｔｙ  Ｍａｎａｇｅｍｅｎｔ  Ｅｎｔｉｔｙ（モビリティ管理エンティティ：ＭＭＥ）において前記インターワーキングユニットから前記シグナリングを受信するようにさらに構成される、請求項４１に記載のワイヤレス通信装置。
【請求項４５】
前記１つまたは複数のシグナリングメッセージは、１つまたは複数のＮｏｎ−Ａｃｃｅｓｓ  Ｓｔｒａｔｕｍ（ノンアクセスストラタム：ＮＡＳ）シグナリングメッセージを備える、請求項４１に記載のワイヤレス通信装置。
【請求項４６】
ハンドオフのためのリソース準備を可能にする装置であって、
ソースネットワークに関連するシグナリング方法に基づいて通信されたターゲットネットワークのシグナリングを識別するための手段と、
前記ターゲットネットワークへの通信リンクを確立するための手段と、
前記確立された通信リンクを使用して、前記ターゲットネットワークに関連するシグナリング方法に基づいて、前記識別されたシグナリングを前記ターゲットネットワークに通信することによって、前記ターゲットネットワークへのハンドオフのためのリソースを準備するための手段と、
を備える装置。
【請求項４７】
ソースネットワークに関連するシグナリング方法に基づいて通信されたターゲットネットワークのシグナリングを識別することと、
前記ターゲットネットワークへの通信リンクを確立することと、
前記確立された通信リンクを使用して、前記ターゲットネットワークに関連するシグナリング方法に基づいて、前記識別されたシグナリングを前記ターゲットネットワークに通信することによって、前記ターゲットネットワークへのハンドオフのためのリソースを準備することと、
をコンピュータに行わせるためのコードを備えるコンピュータ可読媒体、
を備えるコンピュータプログラム製品。
【請求項４８】
通信サービスのハンドオフを準備するためのコンピュータ実行可能命令を実行する集積回路であって、前記命令は、
ソースネットワークに関連するシグナリング方法に基づいて通信されたターゲットネットワークのシグナリングを識別することと、
前記ターゲットネットワークへの通信リンクを確立することと、
前記確立された通信リンクを使用して、前記ターゲットネットワークに関連するシグナリング方法に基づいて、前記識別されたシグナリングを前記ターゲットネットワークに通信することによって、前記ターゲットネットワークへのハンドオフのためのリソースを準備することと、
を備える、
集積回路。
【発明の詳細な説明】
【技術分野】
【０００１】
米国特許法第１１９条に基づく優先権の主張
本特許出願は、本出願の譲受人に譲渡され、参照により本明細書に明白に組み込まれる、２００８年６月６日に出願された「METHOD, AND APPARATUS AND SYSTEM FOR HRPD TO LTE HANDOFF」と題する米国仮出願第６１／０５９，６７７号の優先権を主張する。
【０００２】
本開示は、一般にワイヤレス通信に関し、より詳細には、ワイヤレス通信ネットワーク間のハンドオフ動作を管理するための技法に関する。
【背景技術】
【０００３】
ワイヤレス通信ネットワークは、様々な通信サービス、たとえば、ボイス、ビデオ、パケットデータ、ブロードキャスト、メッセージングサービス、などを提供することができる。これらのネットワークは、利用可能なネットワークリソースを共有することによって複数の端末の通信をサポートすることが可能な多元接続ネットワークであり得る。そのような多元接続ネットワークの例は、Ｃｏｄｅ  Ｄｉｖｉｓｉｏｎ  Ｍｕｌｔｉｐｌｅ  Ａｃｃｅｓｓ（符号分割多元接続ＣＤＭＡ）ネットワーク、Ｔｉｍｅ  Ｄｉｖｉｓｉｏｎ  Ｍｕｌｔｉｐｌｅ  Ａｃｃｅｓｓ（時分割多元接続：ＴＤＭＡ）ネットワーク、Ｆｒｅｑｕｅｎｃｙ  Ｄｉｖｉｓｉｏｎ  Ｍｕｌｔｉｐｌｅ  Ａｃｃｅｓｓ（周波数分割多元接続：ＦＤＭＡ）ネットワーク、およびＯｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ（直交周波数分割多元接続：ＯＦＤＭＡ）ネットワークを含む。
【０００４】
概して、ワイヤレス多元接続通信ネットワークは、複数のワイヤレス端末のための通信を同時にサポートすることができる。そのようなネットワークでは、各端末は、順方向リンクおよび逆方向リンク上の送信を介して１つまたは複数の基地局と通信することができる。順方向リンク（またはダウンリンク）とは、基地局から端末への通信リンクを指し、逆方向リンク（またはアップリンク）とは、端末から基地局への通信リンクを指す。この通信リンクは、単入力単出力（ＳＩＳＯ）、多入力単出力（ＭＩＳＯ）、または多入力多出力（ＭＩＭＯ）ネットワークを介して確立され得る。
【０００５】
ワイヤレス通信技術がより高度になるにつれて、互いに異なるアクセス方法を利用することができる異なるモバイルネットワーク間のシームレスモビリティおよびサービス継続性がますます重要になっている。異なってアクセスされるネットワークの間のシームレスモビリティは、ネットワークの間の準備されたハンドオフによって可能にされ得る。そのようなハンドオフは、インターアクセスシステム準備によって使用可能にされ得る。ネットワーク上でハンドオフ準備を行うための様々な技法が存在する。たとえば、２つの無線技術に基づいて同時に通信することが可能なアクセス端末によって、インターネットワーク準備が行われ得る。ただし、このようにしてネットワーク準備を行うことは、マルチモード無線機能をもつ低コストの端末ハードウェアの使用を妨げる。代替的に、第１のネットワークが、第２のネットワークにおいてリソースを準備するためにインターフェースを利用することができるように、異なってアクセスされるネットワークのモビリティ管理エンティティ間にインターフェースが設けられ得る。しかしながら、そのような技法は、互いに通信することが可能な異なる無線技術を必要とし、それらの異なる無線技術の間で複雑な標準化作業を必ず必要とする。さらに、そのような標準化は、可能であるとしても、すでに展開されたネットワークの間では実践的ではないことがある。
【０００６】
したがって、ワイヤレス通信ネットワーク間の改善されたインターネットワークハンドオフをサポートするシステムのための技法が必要である。
【図面の簡単な説明】
【０００７】
【図１】図１は、本明細書に記載の様々な態様によるワイヤレス多元接続通信システムを示す。
【図２】図２は、ワイヤレス通信システムにおける例示的な準備されたハンドオフ動作を示すブロック図である。
【図３】図３は、ワイヤレス通信システムにおけるインターネットワークハンドオフのためのシステムを示すブロック図である。
【図４】図４は、ワイヤレス通信システムにおけるインターネットワークハンドオフのためのシステムを示すブロック図である。
【図５Ａ】図５Ａは、ワイヤレス通信システムにおけるインターネットワークハンドオフのためのシステムを示すブロック図である。
【図５Ｂ】図５Ｂは、ワイヤレス通信システムにおけるインターネットワークハンドオフのためのシステムを示すブロック図である。
【図５Ｃ】図５Ｃは、ワイヤレス通信システムにおけるインターネットワークハンドオフのためのシステムを示すブロック図である。
【図６】図６は、インターネットワークハンドオフを可能にするために利用され得る例示的なシステムプロトコルアーキテクチャを示す。
【図７】図７は、ワイヤレス通信システムにおいて実行され得るそれぞれの例示的なハンドオフプロシージャを示す。
【図８】図８は、インターネットワーク準備されたハンドオフを実行するための方法の流れ図である。
【図９】図９は、インターネットワーク準備されたハンドオフを実行するための方法の流れ図である。
【図１０】図１０は、インターネットワーク準備されたハンドオフを実行するための方法の流れ図である。
【図１１】図１１は、例示的な実施形態による例示的なワイヤレス通信システムを示すブロック図である。
【図１２】図１２は、例示的な実施形態による例示的なデバイスを示すブロック図である。
【図１３】図１３は、例示的な実施形態による例示的なデバイスを示すブロック図である。
【図１４】図１４は、例示的な実施形態による例示的なデバイスを示すブロック図である。
【図１５】図１５は、ワイヤレス通信システムにおけるインターネットワークハンドオフを可能にする装置のブロック図である。
【図１６】図１６は、ワイヤレス通信システムにおけるインターネットワークハンドオフを可能にする装置のブロック図である。
【図１７】図１７は、ワイヤレス通信システムにおけるインターネットワークハンドオフを可能にする装置のブロック図である。
【発明を実施するための形態】
【０００８】
次に、同様の部分を指すのに同様の参照符号が使用される図面を参照しながら、請求する主題の様々な態様が説明される。以下の記述では、説明の目的で、いくつかの態様において完全な理解を与えるために具体的な詳細が記載されている。ただし、それらの態様は、これらの具体的な詳細なしに実施され得ることは明白であり得る。他の例では、本発明の説明を不必要な詳細で不明瞭にしないために、よく知られている構造およびプロセスは詳細には説明されない。
【０００９】
本出願で使用する「コンポーネント」、「モジュール」、「システム」などの用語は、ハードウェア、ファームウェア、ソフトウェア、ハードウェアとソフトウェアの組合せなど、コンピュータ関連のエンティティを指すことが意図される。たとえば、コンポーネントは、プロセッサ上で実行されるプロセス、集積回路、オブジェクト、実行可能ファイル、実行スレッド、プログラム、および／またはコンピュータであり得るが、これらに限定されない。例として、コンピューティングデバイス上で実行されるアプリケーションと、そのコンピューティングデバイスの両方がコンポーネントであり得る。１つまたは複数のコンポーネントがプロセスおよび／または実行スレッド内に常駐することができ、１つのコンポーネントは１つのコンピュータ上に配置され得、および／または２つ以上のコンピュータ間に分散され得る。さらに、これらのコンポーネントは、様々なデータ構造を記憶している様々なコンピュータ可読媒体から実行することができる。これらのコンポーネントは、１つまたは複数のデータパケット（たとえば、ローカルシステム、分散システム、および／または他のシステムを用いるインターネットなどのネットワーク全体の中の別のコンポーネントと信号を介して相互作用する１つのコンポーネントからのデータ）を有する信号によるなど、ローカルおよび／またはリモートプロセスを介して通信することができる。
【００１０】
さらに、本明細書ではワイヤレス端末および／または基地局に関する様々な態様が説明される。ワイヤレス端末は、ユーザにボイスおよび／またはデータ接続性を提供するデバイスを指すことができる。ワイヤレス端末は、ラップトップコンピュータまたはデスクトップコンピュータなどのコンピューティングデバイスに接続され得、あるいは携帯情報端末（ＰＤＡ）などの自蔵式デバイスであり得る。ワイヤレス端末はまた、システム、加入者ユニット、加入者局、移動局、モバイル、リモート局、アクセスポイント、リモート端末、アクセス端末、ユーザ端末、ユーザエージェント、ユーザデバイス、またはユーザ機器と呼ばれることがある。ワイヤレス端末は、加入者局、ワイヤレスデバイス、セルラー電話、ＰＣＳ電話、コードレス電話、Ｓｅｓｓｉｏｎ  Ｉｎｉｔｉａｔｉｏｎ  Ｐｒｏｔｏｃｏｌ（セッション開始プロトコル：ＳＩＰ）電話、ワイヤレスローカルループ（ＷＬＬ）局、ＰＤＡ、ワイヤレス接続機能を有するハンドヘルドデバイス、またはワイヤレスモデムに接続された他の処理デバイスであり得る。基地局（たとえば、アクセスポイント）は、１つまたは複数のセクタを通って、エアインターフェースを介してワイヤレス端末と通信する、アクセスネットワーク中のデバイスを指すことができる。基地局は、受信したエアインターフェースフレームをＩｎｔｅｒｎｅｔ  Ｐｒｏｔｏｃｏｌ（インターネットプロトコル：ＩＰ）パケットに変換することによって、ワイヤレス端末と、ＩＰネットワークを含むことができるアクセスネットワークの残部との間のルータとして働くことができる。基地局はまた、エアインターフェースの属性の管理を調整する。
【００１１】
さらに、本明細書で説明される様々な態様または特徴は、標準のプログラミングおよび／またはエンジニアリング技法を使用した方法、装置、または製造品として実装され得る。本明細書で使用する「製造品」という用語は、任意のコンピュータ可読デバイス、キャリア、または媒体からアクセス可能なコンピュータプログラムを包含することが意図される。たとえば、コンピュータ可読媒体は、磁気記憶デバイス（たとえば、ハードディスク、フロッピー（登録商標）ディスク、磁気ストリップ、…）、光ディスク（たとえば、コンパクトディスク（ＣＤ）、デジタル多用途ディスク（ＤＶＤ）、…）、スマートカード、およびフラッシュメモリデバイス（たとえば、カード、スティック、キードライブ、…）を含むことができるが、これらに限定されない。
【００１２】
本明細書で説明される様々な技法は、Ｃｏｄｅ  Ｄｉｖｉｓｉｏｎ  Ｍｕｌｔｉｐｌｅ  Ａｃｃｅｓｓ（符号分割多元接続：ＣＤＭＡ）ネットワーク、Ｔｉｍｅ  Ｄｉｖｉｓｉｏｎ  Ｍｕｌｔｉｐｌｅ  Ａｃｃｅｓｓ（時分割多元接続：ＴＤＭＡ）ネットワーク、Ｆｒｅｑｕｅｎｃｙ  Ｄｉｖｉｓｉｏｎ  Ｍｕｌｔｉｐｌｅ  Ａｃｃｅｓｓ（周波数分割多元接続：ＦＤＭＡ）ネットワーク、Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ（直交周波数分割多元接続：ＯＦＤＭＡ）ネットワーク、Ｓｉｎｇｌｅ  Ｃａｒｒｉｅｒ  ＦＤＭＡ（単一キャリアＦＤＭＡ：ＳＣ−ＦＤＭＡ）ネットワーク、および他のそのようなネットワークなど、様々なワイヤレス通信ネットワークに対して使用され得る。「システム」および「ネットワーク」という用語は、本明細書ではしばしば互換的に使用される。ＣＤＭＡネットワークは、Ｕｎｉｖｅｒｓａｌ  Ｔｅｒｒｅｓｔｒｉａｌ  Ｒａｄｉｏ  Ａｃｃｅｓｓ（ユニバーサル地上無線アクセス：ＵＴＲＡ）、ＣＤＭＡ２０００などの無線技術を実装することができる。ＵＴＲＡは、Ｗｉｄｅｂａｎｄ−ＣＤＭＡ（広帯域ＣＤＭＡ：Ｗ−ＣＤＭＡ）およびＣＤＭＡの他の変形態を含む。さらに、ＣＤＭＡ２０００は、ＩＳ−２０００、ＩＳ−９５およびＩＳ−８５６規格をカバーする。ＴＤＭＡシステムはＧｌｏｂａｌ  Ｓｙｓｔｅｍ  ｆｏｒ  Ｍｏｂｉｌｅ  Ｃｏｍｍｕｎｉｃａｔｉｏｎｓ（移動体通信用グローバルシステム：ＧＳＭ（登録商標））などの無線技術を実装することができる。ＯＦＤＭＡシステムは、Ｅｖｏｌｖｅｄ  ＵＴＲＡ（進化型ＵＴＲＡ：Ｅ−ＵＴＲＡ）、Ｕｌｔｒａ  Ｍｏｂｉｌｅ  Ｂｒｏａｄｂａｎｄ（ウルトラモバイルブロードバンド：ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）などの無線技術を実装することができる。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ユニバーサル移動体通信システム：ＵＭＴＳ）の一部である。３ＧＰＰ  Ｌｏｎｇ  Ｔｅｒｍ  Ｅｖｏｌｕｔｉｏｎ（ロングタームエボリューション：ＬＴＥ）は、ダウンリンク上ではＯＦＤＭＡを採用し、アップリンク上ではＳＣ−ＦＤＭＡを採用する、Ｅ−ＵＴＲＡを使用する今度のリリースである。ＵＴＲＡ、Ｅ−ＵＴＲＡ、ＵＭＴＳ、ＬＴＥおよびＧＳＭは、「３ｒｄ  Ｇｅｎｅｒａｔｉｏｎ  Ｐａｒｔｎｅｒｓｈｉｐ  Ｐｒｏｊｅｃｔ」（第３世代パートナーシッププロジェクト：３ＧＰＰ）と称する組織からの文書に記載されている。さらに、ＣＤＭＡ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（第３世代パートナーシッププロジェクト２：３ＧＰＰ２）と称する組織からの文書に記載されている。
【００１３】
いくつかのデバイス、コンポーネント、モジュールなどを含むことができるシステムに関して、様々な態様が提示される。様々なシステムは、追加のデバイス、コンポーネント、モジュールなどを含んでもよく、および／または各図に関連して論じられるデバイス、コンポーネント、モジュールなどのすべてを含まなくてもよいことが理解および諒解されるべきである。これらの手法の組合せも使用され得る。
【００１４】
次に図面を参照すると、図１は、例示的なワイヤレス多元接続通信ネットワークを示す。そのネットワークには、複数のアンテナグループを含むアクセスポイント１００（ＡＰ）がある。図１に示すように、あるアンテナグループは、アンテナ１０４および１０６を含むことができ、別のアンテナグループは、アンテナ１０８および１１０を含むことができ、さらに別のアンテナグループは、アンテナ１１２および１１４を含むことができる。図１では、アンテナグループごとに２つのアンテナのみが示されているが、アンテナグループごとにより多いまたはより少ないアンテナが利用され得るということが諒解されるべきである。別の例では、アクセス端末１１６（ＡＴ）は、アンテナ１１２および１１４と通信していることができ、ここで、アンテナ１１２および１１４は、順方向リンク１２０上ではアクセス端末１１６に情報を送信し、逆方向リンク１１８上ではアクセス端末１１６から情報を受信する。追加および／または代替として、アクセス端末１２２は、アンテナ１０６および１０８と通信していることができ、アンテナ１０６および１０８は、順方向リンク１２６上ではアクセス端末１２２に情報を送信し、逆方向リンク１２４上ではアクセス端末１２２から情報を受信する。周波数分割複信（ＦＤＤ）システムでは、通信リンク１１８、１２０、１２４および１２６は、通信のための異なる周波数を使用することができる。たとえば、順方向リンク１２０は、逆方向リンク１１８によって使用される周波数とは異なる周波数を使用し得る。
【００１５】
アンテナの各グループ、および／またはアンテナが通信するために設計されたエリアは、アクセスポイントのセクタと呼ばれることができる。一態様によれば、アンテナグループは、アクセスポイント１００によってカバーされるエリアのセクタ中のアクセス端末に通信するように設計され得る。順方向リンク１２０および１２６上の通信では、アクセスポイント１００の送信アンテナは、異なるアクセス端末１１６および１２２に対して順方向リンクの信号対雑音比を改善するためにビームフォーミングを利用することができる。また、そのカバレージ中にランダムに分散されたアクセス端末に送信するためにビームフォーミングを使用するアクセスポイントは、すべてのそのアクセス端末に単一のアンテナを介して送信するアクセスポイントよりも、隣接セル中のアクセス端末への干渉を小さくさせる。
【００１６】
アクセスポイント、たとえば、アクセスポイント１００は、端末との通信に使用される固定局であり得、基地局、ノードＢ、アクセスネットワーク、および／または他の適切な用語で呼ばれることもできる。さらに、アクセス端末、たとえば、アクセス端末１１６または１２２は、モバイル端末、ユーザ機器（ＵＥ）、ワイヤレス通信デバイス、端末、ワイヤレス端末、および／または他の適切な用語で呼ばれることもできる。
【００１７】
図２は、ワイヤレス通信ネットワーク間の例示的な準備されたハンドオフ動作を示すブロック図である。一例では、ハンドオフは、２０２および２０４によって示されるように、アクセス端末２１０の通信サービスをソースネットワーク２２０からターゲットネットワーク２３０に転送するために行われることができる。さらに、ソースネットワーク２２０とターゲットネットワーク２３０は、同じ無線アクセス技術または異なる技術を利用することができる。
【００１８】
一態様によれば、ソースネットワーク２２０とターゲットネットワーク２３０が異なる無線技術を利用する場合、ソースネットワーク２２０からターゲットネットワーク２３０へのインターネットワークシステムハンドオフは、インターネットワークシステム準備を用いずに行われ得（たとえば、基本ハンドオフ）、またはインターネットワークシステム準備を用いて行われ得る（たとえば、準備したハンドオフ）。ソースネットワーク２２０からターゲットネットワークへの準備されたハンドオフの非限定的な例が図２０２および２０４によって示されている。
【００１９】
２０２は、一態様による、ソースネットワーク２２０からターゲットネットワーク２３０へのハンドオフより前の例示的なワイヤレス通信システムにおける通信を示す。２０２に示すように、ハンドオフが行われるべきアクセス端末２１０は、ソースネットワーク２２０とのハンドオフ前通信を行うことができる。さらに、ソースネットワーク２２０は、ハンドオフ準備の情報をターゲットネットワーク２３０に通信することができる。２０２には示されていないが、アクセス端末２１０は、追加および／または代替として、ハンドオフ準備情報をターゲットネットワーク２３０に直接供給することができることが諒解されるべきである。ハンドオフ準備時に、ソースネットワーク２２０からターゲットネットワーク２３０へのハンドオフが行われ得、それにより、アクセス端末２１０は、２０４に示すように、ターゲットネットワーク２３０とのハンドオフ後通信を行うことができるようになる。
【００２０】
ターゲットネットワーク２３０のインターネットワークシステムハンドオフ準備のための様々な技法が存在する。第１の例として、アクセス端末２１０は、たとえば、ソースネットワーク２２０およびターゲットネットワーク２３０と同時に通信することが可能になるように、「デュアル無線」機能を有して設けられ得る。そのような例では、アクセス端末２１０は、ソースネットワーク２２０への無線リンクを破棄する前に、ターゲットネットワーク２３０の無線インターフェースを利用して、ターゲットネットワーク２３０に対して認証、許可、およびアカウンティング（ＡＡＡ）機能、リソースのセットアップ、ならびに／またはハンドオフの他のアスペクトを準備することができる。このようにして、ソースネットワーク２２０からターゲットネットワーク２３０にユーザセッションをハンドオーバするときの不通時間が最小限に抑えられ得る。ただし、この手法は、アクセス端末２１０のデュアル無線機能に依拠するので、マルチモード無線機能のない低コストの端末ハードウェアの使用を妨げる。
【００２１】
別の例として、アクセス端末２１０に関与する情報とそのセッションとをソースネットワーク２２０からターゲットネットワーク２３０にプッシュするために、ハンドオフに関与する２つのネットワーク２２０および２３０のネットワークインフラストラクチャ要素間にインターフェースが設けられ得る。その結果、アクセス端末２１０がその後ソースネットワーク２２０との無線リンクを破棄しターゲットネットワーク２３０に接続するとき、ターゲットネットワーク２３０は、アクセス端末２１０のセッションを続けるようにすでに準備されていることがあり得る。この手法は、たとえば、３ＧＰＰ第２世代（２Ｇ）レガシーネットワークと第３世代（３Ｇ）レガシーネットワークとの間のハンドオフ動作のために採用される。ただし、この手法は、各々が通信についての異なる規格世代および／または技術を利用することができる２つの異なるネットワーク２２０および２３０のノードに、情報を互いに通信することを要求するということが諒解され得る。したがって、そのような手法は、関与するネットワーク２２０とネットワーク２３０との間でかなりの標準化作業を必要とし、ネットワーク２２０とネットワーク２３０の両方に対する大きな設計上の影響という結果になる。この欠点は、２つの関与するネットワーク２２０とネットワーク２３０が異なる規格組織によって（たとえば、３ＧＰＰ、３ＧＰＰ２、ＷｉＭＡＸ  Ｆｏｒｕｍ、ＩＥＥＥなどによって）規定されているときに、さらに深刻となるということが諒解され得る。
【００２２】
上記に鑑みて、以下の説明は、少なくとも上記の欠点を軽減する、インターネットワークシステムハンドオフのための技法を与える。一態様によれば、ソースネットワーク２２０および／またはターゲットネットワーク２３０にとって必要とされる具体的な変更を最小限に抑えるために、ソースネットワーク２２０を介してターゲットネットワーク２３０がアクセス端末２１０によって準備されることを可能にするハンドオフ技法が与えられる。
【００２３】
図３は、インターネットワークシステムハンドオフのための例示的なシステム３００を示すブロック図である。この例では、システム３００は、「シングル無線」アクセス端末３１０（たとえば、一度に単一の無線システムと通信する、および／またはそれとアクティブ状態にあることが可能な端末）のためのインターネットワークシステムハンドオフを行うために利用され得る。一態様によれば、システム３００は、ターゲットネットワーク中の宛先ノードによって理解されるフォーマットであるシグナリングメッセージを「トンネル」するためのハンドオフ動作のためにソースシステムの無線リンクを利用する。たとえば、それらのシグナリングメッセージは、ターゲットネットワークに直接メッセージを送信するために利用されるフォーマットで送信され得る。
【００２４】
システム３００では、ＬＴＥアクセス技術に基づくＥｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（進化型ＵＴＲＡネットワーク：Ｅ−ＵＴＲＡＮ）３３０と非３ＧＰＰネットワーク３２０（たとえば、３ＧＧＰ２  Ｈｉｇｈ−Ｒａｔｅ  Ｐａｃｋｅｔ  Ｄａｔａ（高速パケットデータ：ＨＲＰＤ）ネットワーク）との間でハンドオフ動作が行われ得ることが示されている。システム３００は、非３ＧＰＰネットワーク３２０からＥ−ＵＴＲＡＮネットワーク３３０へのハンドオフ動作を可能にし得るということが諒解されるべきである。さらに、システム３００にはＥ−ＵＴＲＡＮネットワーク３３０および非３ＧＰＰネットワーク３２０が示されているが、システム３００によって示される技法は、任意の適切なワイヤレス通信技術に基づいて（１つまたは複数の）ネットワークに適用され得るということが諒解されるべきである。
【００２５】
この例では、システム３００は、イントラシステムモビリティを扱う２つの異なるシステム中のネットワークノード間に単純な一般的な送信トンネルを確立することによってインターネットワークシステムハンドオフを与え、各関与するネットワーク技術の無線インターフェースを介してＬａｙｅｒ  ２（レイヤ２：Ｌ２）トンネリング機構を与えることができる。システム３００によって示されるこの例では、その一般的な送信トンネルは、Ｓ３＊またはＳ１０１基準点を介して、Ｅ−ＵＴＲＡＮネットワーク３３０に結合されたＭｏｂｉｌｉｔｙ  Ｍａｎａｇｅｍｅｎｔ  Ｅｎｔｉｔｙ（モビリティ管理エンティティ：ＭＭＥ）３３２と、非３ＧＰＰネットワーク３２０における非３ＧＰＰネットワークノード３２２（たとえば、ｃｄｍａ２０００基地局コントローラまたはＢＳＣ）との間に設けられ得る。システム３００によってさらに示されるように、Ｅ−ＵＴＲＡＮネットワーク３３０、ＭＭＥ３３２、および／または非３ＧＰＰネットワーク３２０は、それらの間の様々なインターフェースを通してサービングＳｙｓｔｅｍ  Ａｒｃｈｉｔｅｃｔｕｒｅ  Ｅｖｏｌｕｔｉｏｎ（システムアーキフクチャエボリューション：ＳＡＥ）ゲートウェイ３３４および／またはＰａｃｋｅｔ  Ｄａｔａ  Ｎｅｔｗｏｒｋ（パケットデータネットワーク：ＰＤＮ）ＳＡＥゲートウェイ３３６とさらに通信することができる。一態様によれば、シングル無線アクセス端末３１０のためにシステム３００によって与えられるトンネリング機構は、ハンドオフに関与する２つのネットワーク３２０および３３０に対する影響を最小限に抑えながら、デュアル無線端末に従来関連するハンドオフパフォーマンスを達成することができる。
【００２６】
この例では、Ｌ２トンネリングは、アクセス端末３１０から、非３ＧＰＰネットワーク３２０中の非３ＧＰＰネットワークノード３２２、Ｅ−ＵＴＲＡＮネットワーク３３０に結合されたＭＭＥ３３２、および／または関連するネットワーク内のモビリティを担当する別の適切なネットワークノードに直接シグナリングを配信するために、システム３００内に設けられ得る。代替的に、Ｌ２トンネリングは、たとえば、第１のＬ２トンネルがアクセス端末３１０と非３ＧＰＰネットワーク３２０との間のシグナリングを与えるために利用され、第２のＬ２トンネルがネットワーク３２０からそれぞれのネットワークノード３２２にデータを供給するために利用されるように、複数のセグメントにおいて設けられ得る。
【００２７】
さらに、Ｓ３＊またはＳ１０１基準点を介したネットワークノード３２２の間のトンネリングは、様々な方法で行われ得る。たとえば、ターゲットネットワークへのハンドオフ準備情報が、アクセス端末３１０からソースネットワークに供給され得る。次いで、ソースネットワークは、ソースおよび／またはターゲットネットワークによって利用される無線アクセス技術とは無関係である特に構築されたプロトコルを使用して、Ｓ３＊またはＳ１０１トンネルを介して、そのハンドオフ準備情報をターゲットネットワークに中継することができる。代替的に、アクセス端末３１０は、ターゲットネットワークへのハンドオフ準備情報をユーザデータとしてソースネットワークに通信することができ、そのデータは次いで、ソースネットワークによって与えられるＩＰ接続性を利用して、ソースネットワークによってターゲットネットワークに中継され得る。
【００２８】
一態様によれば、システム３００は、遅延に関して、デュアル無線端末の場合のハンドオフパフォーマンスとほぼ同じハンドオフパフォーマンスを達成する、シングル無線端末のためのインターネットワークシステムハンドオフを可能にするために、利用され得る。さらに、システム３００によって示されるハンドオフ技法は一般的な送信トンネルのサポートのみを必要とするということが諒解され得る。これらのトンネルは、たとえば、アクセス端末３１０と、対応するネットワークインフラストラクチャにおけるモビリティ管理エンティティ３２２（たとえば、３ＧＰＰ２  ＨＲＰＤシステムにおけるＢＳＣ、３ＧＰＰ  Ｒｅｌｅａｓｅ  ８（Ｒｅｌ−８）またはｐｒｅ−Ｒｅｌ−８の３ＧＰＰレガシーシステムにおけるＳｅｒｖｉｎｇ  Ｇｅｎｅｒｉｃ  Ｐａｃｋｅｔ  Ｒａｄｉｏ  Ｓｅｒｖｉｃｅ（ＧＰＲＳ）Ｓｕｐｐｏｒｔ  Ｎｏｄｅ（ＳＧＳＮ）ＳＧＳＮ、３ＧＰＰ  Ｒｅｌ−８のＭＭＥなど）との間のＬ２トンネル、および／または２つの関与するネットワークの対応するモビリティ管理エンティティ間の一般的なＩＰパケットトランスポートトンネルを含む。アクセス端末３１０と非３ＧＰＰネットワーク３２０との間のＬ２トンネルのサポートは、アクセス端末３１０と非３ＧＰＰＰアクセスシステム３２０の両方におけるＬ２レイヤの修正という結果になることが留意されるべきである。したがって、展開されたネットワークの修正は、望ましくは最小限に抑えられるべきである。したがって、Ｌ３トンネリングを利用する様々に説明される態様が、非３ＧＰＰ（ＨＲＰＤ）ネットワークのシグナリングアクセスインターフェースとＥ−ＵＴＲＡＮ（ＬＥＴ）ネットワークのシグナリングアクセスインターフェースとの間の変換を行うことによって、すでに展開されたＨＲＰＤエアインターフェース、ならびにすでに定義されたＬＴＥアーキテクチャの使用を可能にする。
【００２９】
次に図４を参照すると、非３ＧＰＰネットワーク４２０からＥ−ＵＴＲＡＮネットワーク４３０へのハンドオフのためにアクセス端末４１０によって開始される例示的なリソース準備を示す、システム４００の図が与えられている。システム４００によって示されるように、アクセス端末４１０が非３ＧＰＰネットワーク４２０と接続され、Ｅ−ＵＴＲＡＮネットワーク４３０に向けてのハンドオフ準備がトリガされたとき、ＬＴＥ  Ｎｏｎ−Ａｃｃｅｓｓ  Ｓｔｒａｔｕｍ（ノンアクセスストラタム：ＮＡＳ）シグナリングメッセージは、非３ＧＰＰネットワーク４２０を介した、アクセス端末４１０からインターネットワーキングユニット（ＩＷＵ）４２６への非３ＧＰＰ  Ｌ３トンネルを介して、アクセス端末４１０とＥ−ＵＴＲＡＮネットワーク４３０に結合されたＭＭＥ４３２との間で交換され得る。非３ＧＰＰネットワーク４２０は、アクセスノード（ＨＲＰＤ−ＡＮ）４２２およびパケットデータサービングノード（ＨＲＰＤ−ＰＤＳＮ）４２４を含む、無線およびデータ要素をさらに含むことができる。
【００３０】
一例では、Ｌ３トンネリングは、アクセス端末４１０からＩＷＵ４２６に直接行われるか、またはアクセス端末４１０から非３ＧＰＰネットワーク４２０への、および非３ＧＰＰアクセスシステム４２０からＩＷＵ４２６への、一連のＬ３トンネルとして行われ得る。一態様によれば、ＮＡＳシグナリングメッセージは、Ｅ−ＵＴＲＡＮネットワーク４３０に向けて非３ＧＰＰネットワーク４２０との間に配置されるＩＷＵ４２６を介して、Ｌ３トンネルを通してＥ−ＵＴＲＡＮネットワーク４３０に向けて非３ＧＰＰネットワーク４２０によって透過的にトランスポートされる。Ｌ３トンネリングは、アクセスノード（ＨＲＰＤ−ＡＮ）４２２、パケットデータサービングノード（ＨＲＰＤ−ＰＤＳＮ）４２４を含む１つまたは複数の様々な非３ＧＰＰネットワーク要素を通して、また随意に、「非ブレークアウト」構成においてホームエージェント４４０を通して、ＩＷＵ４２６と結合することができる。さらに、Ｓ１０１基準点は、ＩＷＵ４２６を、Ｅ−ＵＴＲＡＮネットワーク４３０に結合されたＭＭＥ４３２と接続する。ＩＷＵ４２６がターゲットネットワークに向けられたハンドオフメッセージを解釈することに従事するので、非３ＧＰＰネットワーク４２０はＥ−ＵＴＲＡＮネットワーク４３０に向けられたメッセージを解釈する必要がなく、それによって、ネットワーク４２０またはネットワーク４３０のいずれへの影響をも制限する。
【００３１】
ＩＷＵ４２６は、アクセス端末４１０とＥ−ＵＴＲＡＮネットワーク４３０との間にセキュアなトンネリングインターフェースを設けるための、アドレス可能なデータネットワーク上のプログラムされたノードを表す。一実施形態では、ＩＷＵ４２６は、ＤｉｒｅｃｔＴｒａｎｓｆｅｒメッセージ、ハンドオフメッセージおよびＳ１０１セッションＩＤ管理をサポートすることによって、Ｅ−ＵＴＲＡＮネットワーク４３０のＭＭＥ４３２のＳ１０１インターフェースの間のシグナリングを変換する。さらに、ＩＷＵ４２６は、Ｓ１０１メッセージをＵＤＰ／ＩＰメッセージカプセル化フォーマットに変換することもできる。例として、ＩＷＵ４２６への配信のためのＮＡＳシグナリングメッセージに、ＭＭＥ４３２を識別するヘッダを追加するために、新しいプロトコルが定義される。
【００３２】
Ｅ−ＵＴＲＡＮネットワーク４３０に向けて非３ＧＰＰネットワーク４２０によって透過的にトランスポートされるＮＡＳシグナリングメッセージを与えるためのＩＷＵ４２６の実装は、ＭＭＥ４２６がＮＡＳメッセージを識別できるようにするための、アクセス端末４１０によって付加される識別子のＮＡＳメッセージへの追加を含む。さらに、ＩＷＵ４２６は、アクセス端末４１０へのＳ１０１セッションＩＤマッピング、アクセス端末固有の識別子を実装するように構成される。詳細には、ＩＷＵ４２６は、逆方向リンクメッセージの場合はＩＰアドレスからＳ１０１セッションＩＤにマッピングし、順方向リンクメッセージの場合はＳ１０１セッションＩＤからＩＰアドレスにマッピングする。ＩＷＵ４２６は、さらに、Ｓ１０１−ＡＰシグナリングに必要とされる情報（たとえば、ステータス、直接ＡＮから得るためにどのＭＭＥが使用されるか）をＩＷＵのＳ１０１−ＡＰに供給する。さらに、ＩＷＵ４２６は、ＭＭＥ４３２とアクセス端末４１０との間での非ＮＡＳ情報（たとえば、ＬＴＥネイバーリスト、ＬＴＥ測定報告など）の配信を支援するように構成され得、さもなければ、その情報の配信は、非３ＧＰＰネットワークにおいてさらに修正されたインターフェースを必要とするであろう。
【００３３】
図４にさらに示すように、ハンドオフはさらに、ｅノードＢ（基地局）４３８、サービングＳＡＥゲートウェイ４３４および／またはＰＤＮ  ＳＡＥゲートウェイ４３６によって可能にされ得る。たとえば、ＰＤＮ  ＳＡＥゲートウェイ４３６は、ＩＷＵ４２６のＩＰアドレスを識別するためのドメインネームシステム（ＤＮＳ）４２８をサポートすることなどによって、パブリックＩＰアドレスサービスをサポートすることができる。
【００３４】
図５Ａ〜図５Ｃは、様々な態様によるインターワーキングユニットアクセスを示す。ＩＷＵ４２６がデータネットワーク上のアドレス可能エンティティであるので、アクセス端末４１０とＩＷＵ４２６との間のＬ３トンネルの形成のためにＩＷＵ４２６のアドレス（ＩＰアドレス）を与えるための様々な態様が開示される。図５Ａは、ＩＷＵ４２６のＩＰアドレスが、パブリックアドレスであり、ドメインネームサービス（ＤＮＳ）４２８を使用して非３ＧＰＰシステム４２０のデータ要素を通して発見される、一態様を示す。非３ＧＰＰシステム４２０は、信号フロー５０２、５０４に従ってＩＷＵ４２６のＩＰアドレスを得て、次いで、アクセス端末４１０とＩＷＵ４２６との間のＮＡＳシグナリングのＬ３トンネリングのためにそのＩＷＵ  ＩＰアドレスを利用する。
【００３５】
図５Ｂは、アクセス端末４１０とＩＷＵ４２６との間のＬ３トンネリングが、ＨＲＰＤ−ＰＤＳＮ４２４Ｂ内に記憶された特殊なまたは専用のＩＰアドレス５１０を利用し、Ｌ３トンネリングは、ＨＲＰＤ−ＰＤＳＮ４２４Ｂにおいてローカルに保持されているＩＷＵ  ＩＰアドレスのため、ＨＲＰＤ−ＰＤＳＮ４２４ＢとＩＷＵ４２６との間の「ブレークアウト」によって可能にされる、別の態様を示す。したがって、ＮＡＳシグナリングは、直接ＨＲＰＤ−ＰＤＳＮ４２４ＢとＩＷＵ４２６との間でデータパケットにおいてパスする。
【００３６】
図５Ｃは、アクセス端末４１０とＩＷＵ４２６との間のＬ３トンネリングが、ＨＲＰＤ−ＡＮ４２２を使用するＮＡＳシグナリングのＩＷＵ４２６直接インターフェースへのトンネリングのための物理経路を利用する、さらに別の態様を示す。本態様では、ＨＲＰＤ−ＡＮ４２２は、ＨＲＰＤ−ＰＤＳＮ４２４を迂回しながら、ＮＡＳシグナリングを含むデータパケットをＩＷＵ４２６に直接転送（forward）する。
【００３７】
図６は、様々な態様による、要素の各々に関係するプロトコルスタックを示す。システム６００のためのプロトコルスタックは、アクセス端末プロトコルスタック６１０と、ＩＷＵプロトコルスタック６３０と、ＭＭＥプロトコルスタック６５０と、を含む。アクセス端末プロトコルスタック６１０は、ハンドオフに続いてＥ−ＵＴＲＡＮネットワーク４３０と通信するためのＬＴＥプロトコルスタック６１２を含む。例示的なＬＴＥプロトコルスタック６１２は、物理レイヤＰＨＹと、ＭＡＣレイヤと、ＲＬＣレイヤと、Ｒａｄｉｏ  Ｒｅｓｏｕｒｃｅ  Ｃｏｎｔｒｏｌ（無線リソース制御：ＲＲＣ）レイヤと、を含む。アクセス端末プロトコルスタック６１０は、Ｎｏｎ  Ａｃｃｅｓｓ  Ｓｔｒａｔｕｍ（ノンアクセスストラタム：ＮＡＳ）シグナリングレイヤ６１４として構成されたアプリケーションレイヤをさらに含む。
【００３８】
アクセス端末プロトコルスタック６１０は、非３ＧＰＰ（ＨＲＰＤ）ネットワーク４２０と通信するためのＨＲＰＤプロトコルスタック６１６をさらに含む。また、例示的なＨＲＰＤプロトコルスタック６１６は、上述のトンネリングを介してＥ−ＵＴＲＡＮ（ＬＴＥ）ネットワーク４３０とのハンドオフ準備シグナリングのためのシグナリングメッセージを生成するためのＮＡＳシグナリングレイヤ６１４を含む。ＨＲＰＤプロトコルスタック６１６は、定義されたＳ１０１−ＳＭプロトコルを含むＳｅｓｓｉｏｎ  Ｍａｎａｇｅｒ（セッションマネージャ：ＳＭ）セッションレイヤ６１８をさらに含む。アクセス端末スタック６１０中のＳ１０１−ＳＭプロトコルは、ＩＷＵ４２６によって使用されるヘッダ情報を追加することによって、ＭＭＥ４３２を選択し、Ｓ１０１直接転送メッセージを作成するように機能する。セッションレイヤ６１８は、トランスポートレイヤ６２０と、ネットワークレイヤ６２２と、リンクおよび物理ＨＲＰＤ  Ｌ２／Ｌ１レイヤ６２４とインターフェースし、ここで、ＨＲＰＤ  Ｌ２／Ｌ１レイヤ６２４は、Ｒａｄｉｏ  Ｌｉｎｋ  Ｐｒｏｔｏｃｏｌ（無線リンクプロトコル：ＲＬＰ）の上でＰｏｉｎｔ−ｔｏ−Ｐｏｉｎｔ  Ｐｒｏｔｏｃｏｌ（ポイントツーポイントプロトコル：ＰＰＰ）を用いて実装されるＬ２リンクレイヤであり得る。アクセス端末４１０は、ＨＲＰＤ−ＰＤＳＮ４２４とのＰＰＰセッションを維持し得、ＲＬＰを介して非３ＧＰＰネットワーク４２０とデータを交換することができる。データセッションは、ＨＲＰＤにおけるＰＰＰセッションを備えることができる。ネットワークレイヤ６２２は、Ｉｎｔｅｒｎｅｔ  Ｐｒｏｔｏｃｏｌ（インターネットプロトコル：ＩＰ）に従って構成され得、トランスポートレイヤ６２０は、たとえば、Ｕｓｅｒ  Ｄａｔａｇｒａｍ  Ｐｒｏｔｏｃｏｌ（ユーザデータグラムプロトコル：ＵＤＰ）、またはＴｒａｎｓｍｉｓｓｉｏｎ  Ｃｏｎｔｒｏｌ  Ｐｒｏｔｏｃｏｌ（伝送制御プロトコル：ＴＣＰ）などの他のプロトコルに従って構成され得る。非３ＧＰＰ（ＨＲＰＤ）ネットワーク４２０は、アクセス端末４１０とＩＷＵ４２６との間の通信を可能にする。
【００３９】
システム６００は、ＩＷＵプロトコルスタック６３０を含むＩＷＵ４２６をさらに含む。ＩＷＵプロトコルスタック６３０は、非３ＧＰＰネットワークと対話するための対応するプロトコルレイヤを含む。詳細には、ＩＷＵプロトコルスタック６３０は、Ｒａｄｉｏ  Ｌｉｎｋ  Ｐｒｏｔｏｃｏｌ（無線リンクプロトコル：ＲＬＰ）の上でＰｏｉｎｔ−ｔｏ−Ｐｏｉｎｔ  Ｐｒｏｔｏｃｏｌ（ポイントツーポイントプロトコル：ＰＰＰ）を用いて実装されるＬ２リンクレイヤであり得るＨＲＰＤ  Ｌ２／Ｌ１レイヤ６３２を含む。ＩＷＵ４２６は、ＨＲＰＤ−ＰＤＳＮ４２４とのＰＰＰセッションを維持し得、ＲＬＰを介して非３ＧＰＰネットワーク４２０とデータを交換することができる。データセッションは、ＨＲＰＤにおけるＰＰＰセッションを備えることができる。ＩＷＵプロトコルスタック６３０は、Ｉｎｔｅｒｎｅｔ  Ｐｒｏｔｏｃｏｌ（インターネットプロトコル：ＩＰ）に従って構成されたネットワークレイヤ６３４をさらに備え、トランスポートレイヤ６３６は、たとえば、Ｕｓｅｒ  Ｄａｔａｇｒａｍ  Ｐｒｏｔｏｃｏｌ（ユーザデータグラムプロトコル：ＵＤＰ）、またはＴｒａｎｓｍｉｓｓｉｏｎ  Ｃｏｎｔｒｏｌ  Ｐｒｏｔｏｃｏｌ（伝送制御プロトコル：ＴＣＰ）などの他のプロトコルに従って構成され得る。セッションレイヤ６３４およびネットワークレイヤ６３６は、アクセス端末４１０のアクセス端末プロトコルスタック６１０中のセッションレイヤ６２２およびネットワークレイヤ６２０とのそれぞれのピア通信を使用可能にする。
【００４０】
ＩＷＵプロトコルスタック６３０は、定義されたＳ１０１−ＳＭプロトコルを含むＳｅｓｓｉｏｎ  Ｍａｎａｇｅｒ（セッションマネージャ：ＳＭ）セッションレイヤ６３８をさらに含む。ＩＷＵスタック６３０中のＳ１０１−ＳＭプロトコルは、ＩＷＵ４２６によって使用されるべき、アクセス端末セッションレイヤ６１８によって挿入されたヘッダ情報を受信することによって、ＭＭＥ４３２を選択し、Ｓ１０１  Ｄｉｒｅｃｔ  Ｔｒａｎｓｆｅｒ  Ｍｅｓｓａｇｅｓ（直接転送メッセージ）をパスするように機能する。ＩＷＵプロトコルスタック６３０は、Ｓ１０１−ＡＰプロトコルとして構成されたセッションレイヤ６４０を含む、ＭＭＥ４３２を通してＥ−ＵＴＲＡＮネットワーク４３０と対話するための対応するプロトコルレイヤをさらに含む。詳細には、ＩＷＵ４２６は、ＭＭＥ４３２を選択するためにＳ１０１−ＳＭメッセージ中のヘッダ情報を使用し、必要な情報をＳ１０１−ＡＰプロトコルに従って構成されたセッションレイヤ６４０にパスする。
【００４１】
ＩＷＵプロトコルスタック６３０は、ネットワークレイヤ６４４とインターフェースするトランスポートレイヤ６４２と、Ｓ１０１インターフェースであり得るＬ２／Ｌ１レイヤ６４６と、をさらに含む。トランスポートレイヤ６４２は、Ｕｓｅｒ  Ｄａｔａｇｒａｍ  Ｐｒｏｔｏｃｏｌ（ユーザデータグラムプロトコル：ＵＤＰ）、またはＴｒａｎｓｍｉｓｓｉｏｎ  Ｃｏｎｔｒｏｌ  Ｐｒｏｔｏｃｏｌ（伝送制御プロトコル：ＴＣＰ）などの他のプロトコルに従って構成され得、ネットワークレイヤ６４４は、Ｉｎｔｅｒｎｅｔ  Ｐｒｏｔｏｃｏｌ（インターネットプロトコル：ＩＰ）ｖ４／ｖ６に従って構成され得る。
【００４２】
システム６００は、ＭＭＥプロトコルスタック６５０を含むＭＭＥ４３２をさらに含む。ＭＭＥプロトコルスタック６５０は、ＩＷＵ４２６と対話するための対応するプロトコルレイヤを含む。詳細には、ＭＭＥプロトコルスタック６５０は、Ｓ１０１プロトコルに従って実装されるＬ２リンクレイヤおよびＬ１物理レイヤであり得るＬ２／Ｌ１レイヤ６５２を含む。ＭＭＥプロトコルスタック６５０は、Ｉｎｔｅｒｎｅｔ  Ｐｒｏｔｏｃｏｌ（インターネットプロトコル：ＩＰ）、たとえばＤｕａｌ  Ｓｔａｃｋ  Ｍｏｂｉｌｅ  ＩＰ  ｖ４／ｖ６に従って構成されたネットワークレイヤ６５４をさらに備え、トランスポートレイヤ６５６は、たとえば、Ｕｓｅｒ  Ｄａｔａｇｒａｍ  Ｐｒｏｔｏｃｏｌ（ユーザデータグラムプロトコル：ＵＤＰ）、またはＴｒａｎｓｍｉｓｓｉｏｎ  Ｃｏｎｔｒｏｌ  Ｐｒｏｔｏｃｏｌ（伝送制御プロトコル：ＴＣＰ）などの他のプロトコルに従って構成され得る。セッションレイヤ６５４およびネットワークレイヤ６５６は、ＩＷＵ４２６のＩＷＵプロトコルスタック６３０中のセッションレイヤ６４４およびネットワークレイヤ６４２とのそれぞれのピア通信を使用可能にする。
【００４３】
ＭＭＥプロトコルスタック６５０は、定義されたＳ１０１−ＡＰプロトコルを含むセッションレイヤ６５８をさらに含む。ＭＭＥスタック６５０中のＳ１０１−ＡＰプロトコルは、ＭＭＥ４３２によって使用されるべき、ＩＷＵセッションレイヤ６４０によって挿入されたＳ１０１シグナリング情報を受信することによって、Ｓ１０１  Ｄｉｒｅｃｔ  Ｔｒａｎｓｆｅｒ  Ｍｅｓｓａｇｅｓ（直接転送メッセージ）をＥ−ＵＴＲＡＮネットワーク４３０の他の要素にパスするように機能する。ＭＭＥプロトコルスタック６５０は、アクセス端末４１０中のアクセス端末プロトコルスタック６１６のアプリケーションレイヤ６１４とのピア対話を行うようにＮｏｎ  Ａｃｃｅｓｓ  Ｓｔｒａｔｕｍ（ノンアクセスストラタム：ＮＡＳ）シグナリングレイヤとして構成されたアプリケーションレイヤ６６０をさらに含む。
【００４４】
図４〜図６を参照しながら上記に示されたように、様々な態様による、インターネットワークシステムハンドオフを可能にするために利用され得る例示的なシステム４００、５００および６００が示された。一例では、非３ＧＰＰネットワーク４２０とＥ−ＵＴＲＡＮネットワーク４３０との間のハンドオフのためのリソース準備は、本明細書ではＩＷＵ４２６として示された変換（translating）または変換（converting）エンティティによってネットワーク４２０とネットワーク４３０との間に論理インターフェースを採用することによって、達成され得る。ハンドオフ準備は、ＩＰによる基準点Ｌ３トンネルとして示される、非３ＧＰＰネットワーク４２０とＩＷＵ４２６との間に確立される第１の基準点と、基準点Ｓ１０１として示される、ＩＷＵ４２６とＥ−ＵＴＲＡＮシステム４３０との間に確立される第２の基準点とを介して実行され得ることが諒解され得る。
【００４５】
一態様によれば、様々なネットワークエンティティが、追加および／または代替として、それらの間の基準点のセットを介して互いに通信することができる。たとえば、システム４００によって示されるように、ＭＭＥ４３２は、Ｓ１１基準点を介してサービングＳＡＥゲートウェイ４３４と通信することができる。今度は、サービングＳＡＥゲートウェイ４３４は、（非ローミングアーキテクチャの場合）Ｓ５基準点を介してＰＤＮ４３６と通信することができる。ＰＤＮ４３６および／またはＰＤＮ  ＳＡＥゲートウェイ４３４は、追加および／または代替として、ＳＧｉ基準点を介して１つまたは複数の外部パケットデータネットワークと通信することができる。
【００４６】
図７は、様々な態様による、ワイヤレス通信システムにおいて実行され得る例示的なハンドオフプロシージャを示す図である。より詳細には、７００は、非ローミングシナリオにおける、ＩＰ接続（たとえば、Ｓ２ｃ基準点を介したＤｕａｌ  Ｓｔａｃｋ  Ｍｏｂｉｌｅ  ＩＰ  Ｖｅｒｓｉｏｎ  ６（ＤＳＭＩＰｖ６））を用いた信頼できる非３ＧＰＰ  ＩＰアクセスネットワークから３ＧＰＰアクセスネットワークへの準備されたハンドオフを示す。ただし、７００は、非限定的な例として与えられており、本明細書に添付の特許請求の範囲を限定することが意図されてはいないことが諒解されるべきである。
【００４７】
一態様によれば、７００によって示される通信セッションは、非ローミングシナリオにおいてＤＳＭＩＰｖ６を使用する信頼できる非３ＧＰＰネットワーク（たとえば、３ＧＰＰ２  ＨＲＰＤネットワーク）において開始する。その後、セッションは、準備されたハンドオフによってＥ−ＵＴＲＡＮ（ＬＴＥ）ネットワークにハンドオーバする。したがって、７００上の時刻１において、アクセス端末７０２は、アクティブであり、信頼できる非３ＧＰＰ（ＨＲＰＤ）ネットワーク７０４を利用する。さらに、アクセス端末７０２は、ＰＤＮ  ＧＷ７１４とのＤＳＭＩＰｖ６セッションを有する。次に、時刻２において、アクセス端末７０２は、Ｅ−ＵＴＲＡＮ（ＬＴＥ）ネットワークを発見し、現在使用されている信頼できる非３ＧＰＰ（ＨＲＰＤ）ネットワーク７０４から、発見されたＥ−ＵＴＲＡＮ（ＬＴＥ）ネットワークへの準備されたハンドオフを開始する。
【００４８】
次に、時刻３において、アクセス端末７０２は、ＩＷＵ７０６のＩＰアドレスを識別するために、ＤＮＳ７１２とともにアドレス発見要求を実行する。上述の他の態様はＩＷＵ７０６の記憶されたアドレスを利用し、これは時刻３におけるアドレス発見の実行を必要としないことが留意されるべきである。時刻２において準備されたハンドオフが開始し、時刻３においてＩＷＵ７０６のＩＰアドレスのアドレス発見が行われると、必要な場合、時刻４において非３ＧＰＰネットワーク７０４とＩＷＵ７０６との間のトンネルが作成されるか、またはさもなければ識別される。次に、時刻５において、アクセス端末７０２は、上述のＳｅｓｓｉｏｎ  Ｍａｎａｇｅｒ（セッションマネージャ）Ｓ１０１−ＳＭプロトコルでカプセル化された、トンネルを介してＩＷＵ７０６にルーティングされるＡｔｔａｃｈ  Ｒｅｑｕｅｓｔ（接続要求）メッセージを非３ＧＰＰネットワーク７０４を介して送信する。時刻６において、Ａｔｔａｃｈ  Ｒｅｑｕｅｓｔ（接続要求）メッセージは、Ｓ１０１プロトコルに従ってＤｉｒｅｃｔ  Ｔｒａｎｓｆｅｒ（直接転送）メッセージを使用してＩＷＵ７０６からＥ−ＵＴＲＡＮ（ＬＴＥ）ネットワークのＭＭＥ７０８に転送される。時刻７〜９において、ＩＷＵ７０６およびＭＭＥ７０８を介してアクセス端末７０２は、次いで、ホーム加入者サーバ（ＨＳＳ）／３ＧＰＰ  ＡＡＡ７１６と交信し、ＨＳＳ／３ＧＰＰ  ＡＡＡ７１６はアクセス端末７０２を認証する。一例では、認証プロシージャの一部として、Ｅ−ＵＴＲＡＮ（ＬＴＥ）ネットワークにおいて使用される必要があるＰＤＮ  ＧＷ７１４のＩＰアドレスがＭＭＥ７０８に搬送される。成功した認証に続いて、時刻１０において、ＭＭＥ７０８はＨＳＳ７１６とともにロケーション更新プロシージャを実行する。次に、時刻１１において、ＭＭＥ７０８は、Ｓｅｒｖｉｎｇ  ＧＷ（サービングＧＷ）７１０を選択し、選択されたＳｅｒｖｉｎｇ  ＧＷ（サービングＧＷ）７１０に（Ｉｎｔｅｒｎａｔｉｏｎａｌ  Ｍｏｂｉｌｅ  Ｓｕｂｓｃｒｉｂｅｒ  Ｉｄｅｎｔｉｔｙ（国際モバイル加入者識別情報：ＩＭＳＩ）、ＭＭＥ  Ｃｏｎｔｅｘｔ  ＩＤ（ＭＭＥコンテキストＩＤ）、およびＰＤＮ  ＧＷ  ＩＰアドレスを含む）Ｃｒｅａｔｅ  Ｄｅｆａｕｌｔ  Ｂｅａｒｅｒ  Ｒｅｑｕｅｓｔ（デフォルトベアラ作成要求）を送信する。
【００４９】
時刻１１におけるＣｒｅａｔｅ  Ｄｅｆａｕｌｔ  Ｂｅａｒｅｒ  Ｒｅｑｕｅｓｔ（デフォルトベアラ作成要求）に続いて、時刻１２および１３における動作は、システム実装形態に応じて変化することがある。たとえば、Ｉｎｔｅｒｎｅｔ  Ｅｎｇｉｎｅｅｒｉｎｇ  Ｔａｓｋ  Ｆｏｒｃｅ（ＩＥＴＦ）実装形態の場合、時刻１２において、Ｓｅｒｖｉｎｇ  ＧＷ（サービングＧＷ）７１０は、Ｐｒｏｘｙ  Ｂｉｎｄｉｎｇ  Ｕｐｄａｔｅ（ＢＵ）を送信することによってＰＤＮ  ＧＷ７１４に向けてのＰＭＩＰｖ６登録プロシージャを開始する。一例では、時刻１０において、アクセス端末７０２のＮｅｔｗｏｒｋ  Ａｃｃｅｓｓ  Ｉｄｅｎｔｉｆｉｅｒ（ネットワークアクセス識別子：ＮＡＩ）がロケーション更新プロシージャにおいて与えられなかった場合には、時刻１２において、Ｓｅｒｖｉｎｇ  ＧＷ（サービングＧＷ）７１０は、それを導出することができる。次いで、時刻１３において、ＰＤＮ  ＧＷ７１４は、Ｐｒｏｘｙ  Ｂｉｎｄｉｎｇ  Ａｃｋｎｏｗｌｅｄｇｅｍｅｎｔ（Ａｃｋ）で応答し、そのモビリティ結合を更新することができ、これは、非３ＧＰＰネットワーク７０４からのＤＳＭＩＰｖ６トンネルを、Ｓｅｒｖｉｎｇ  ＧＷ（サービングＧＷ）７１０へのＰＭＩＰｖ６トンネルに効果的に切り替える。Ｐｒｏｘｙ  Ｂｉｎｄｉｎｇ  Ａｃｋ（ＢＡ）において、ＰＤＮ  ＧＷ７１４は、以前にアクセス端末７０２に割り当てられた同じＩＰアドレスまたはプレフィックス（prefix）を含めることができる。代替的に、ＧＰＲＳ  Ｔｕｎｎｅｌｉｎｇ  Ｐｒｏｔｏｃｏｌ（ＧＰＲＳトンネリングプロトコル：ＧＴＰ）実装形態の場合には、時刻１２において、Ｓｅｒｖｉｎｇ  ＧＷ（サービングＧＷ）７１０はＣｒｅａｔｅ  Ｂｅａｒｅｒ  Ｒｅｑｕｅｓｔ（ベアラ作成要求）メッセージをＰＤＮ  ＧＷ７１４に供給することができる。その後、時刻１３において、ＰＤＮ  ＧＷ７１４は、Ｃｒｅａｔｅ  Ｂｅａｒｅｒ  Ｒｅｓｐｏｎｓｅ（ベアラ作成応答）メッセージでＳｅｒｖｉｎｇ  ＧＷ（サービングＧＷ）７１０に応答することができる。一例では、Ｃｒｅａｔｅ  Ｂｅａｒｅｒ  Ｒｅｓｐｏｎｓｅ（ベアラ作成応答）は、以前にアクセス端末７０２に割り当てられた同じＩＰアドレスまたはプレフィックスを含んでいる。
【００５０】
時刻１２および１３において実行された行為に続いて、時刻１４において、Ｓｅｒｖｉｎｇ  ＧＷ（サービングＧＷ）７１０は、Ｃｒｅａｔｅ  Ｄｅｆａｕｌｔ  Ｂｅａｒｅｒ  Ｒｅｓｐｏｎｓｅ（デフォルトベアラ作成応答）メッセージをＭＭＥ７０８に戻すことができる。一例では、このメッセージはア、クセス端末７０２のＩＰアドレスをも含むことができる。さらに、このメッセージは、結合が成功したという、ＭＭＥ７０８に対する指示の働きをすることができる。次に、時刻１５において、ＭＭＥ７９８は、Ｄｉｒｅｃｔ  Ｔｒａｎｓｆｅｒ（直接転送）を使用してＡｔｔａｃｈ  Ａｃｃｅｐｔ（接続受入れ）メッセージをＩＷＵ７０６に送信する。次に、時刻１６において、ＩＷＵ７０６は、ＩＷＵ７０６と非３ＧＰＰネットワーク７０４との間のトンネルを通して、ＵＤＰ／ＩＰプロトコルを使用してＡｔｔａｃｈ  Ａｃｃｅｐｔ（接続受入れ）メッセージをアクセス端末７０２に送信する。次いで、時刻１７において、アクセス端末７０２は、非３ＧＰＰネットワーク７０４とのリンクを破棄し、Ｅ−ＵＴＲＡＮターゲットネットワーク７１８とのリンクを確立する。次いで、時刻１８において、Ｅ−ＵＴＲＡＮ（ＬＴＥ）ネットワーク７１８は、無線ベアラセットアッププロシージャを開始することができる。それに応答して、Ｅ−ＵＴＲＡＮネットワーク７１８は、Ａｔｔａｃｈ  Ｃｏｍｐｌｅｔｅ（接続完了）メッセージを与えることができる。時刻１８において説明された行為を完了すると、ハンドオフは完了する。ハンドオフに続いて、アクセス端末７０２は、随意に、時刻１８において、アクセス端末７０２が非３ＧＰＰネットワーク７０４中にあった間に作成されたＰＤＮ  ＧＷ７１４のＤＳＭＩＰｖ６結合を登録解除するために、ＰＤＮ  ＧＷ７１４にＢＵをさらに送信することができる。
【００５１】
図８〜図１０を参照すると、本明細書に記載の様々な態様による、実行され得る方法が示されている。説明を簡潔にする目的で、それらの方法は一連の行為として図示され説明されるが、いくつかの行為は、１つまたは複数の態様によれば、本明細書で図示され説明される順序とは異なる順序で、および／または他の行為と同時に行われ得るので、それらの方法は、行為の順序によって限定されないことが理解および諒解されるべきである。たとえば、方法は、状態図など、一連の相互に関連する状態または事象として代替的に表現され得ることを当業者ならば理解し、諒解するであろう。さらに、１つまたは複数の態様による方法を実装するために、図示のすべての行為が必要とされるわけではないことがある。
【００５２】
図８を参照すると、ワイヤレス通信システム（たとえば、システム４００、５００、６００および７００）におけるターゲットネットワーク（たとえば、ターゲットネットワーク２３０）へのハンドオフを管理するための方法８００が示されている。方法８００は、たとえば、ワイヤレス通信ネットワーク（たとえば、ソースネットワーク２２０）および／または任意の他の適切なネットワークエンティティによって実行され得ることが諒解されるべきである。方法８００は、ブロック８０２において開始し、ここで、ターゲットネットワーク（たとえば、ターゲットネットワーク２３０）に関連するシグナリング方法に基づくシグナリング（たとえば、アクセス端末２１０から通信されたシグナリング）が識別される。一例では、ブロック８０２におけるシグナリングのために利用されるシグナリング方法は、ターゲットの無線アクセス技法（たとえば、ＬＴＥ、ｃｄｍａ２０００など）に基づき得る。シグナリングは、ＮＡＳメッセージとして、１つまたは複数のカプセル化されたデータパケットとして、および／または任意の他の適切な構造において、通信され得る。
【００５３】
次に、ブロック８０４において、ターゲットネットワークへの通信リンクが確立される。通信リンクはＩＰ基準点および／または任意の他の適切な基準点を介して確立され得る。一例では、ソースネットワークとの間にシグナリングトンネルを形成するソースネットワークのソースプロトコルスタックに従って、およびターゲットネットワークとのターゲットプロトコルスタックに従って、通信するＩＷＵによって、通信リンクは、ＭＭＥおよび／またはターゲットネットワークにおける別の適切なネットワークノードにおいて終端され得るように、変換される。通信リンクは、アクセス独立プロトコルをさらに利用することができ；たとえば、そのリンクは、一般的なＩＰパケットトランスポートトンネルとして構築され得る。次いで、方法８００は、ブロック８０６に進むことができ、ここで、ターゲットネットワークへのハンドオフが必要とされるかどうかが判断される。一例では、ブロック８０６において肯定の判断がなされるまで、ブロック８０４におけるターゲットネットワークへの通信リンクの確立は延期され得る。
【００５４】
次いで、方法８００は、ブロック８０８において終了することができ、ここで、ブロック８０４において確立された通信リンクを使用して、ブロック８０２において識別されたシグナリングをターゲットネットワークに供給することによって、ターゲットネットワークへのハンドオフが必要とされた場合は、ターゲットネットワークにおいてリソースが準備される。一態様によれば、シグナリングは、前もって実行されるべきシグナリングの解釈および／または他の処理を必要とすることなしに、ターゲットネットワークに透過的に供給され得る。一例では、ブロック８０２においてシグナリングが１つまたは複数のデータパケットとして識別された場合、シグナリングは、ブロック８０８において、ＩＷＵ４２６を介してＩＰトランスポートプロトコルを使用して、ターゲットネットワークに供給され得る。
【００５５】
図９は、ワイヤレス通信システムにけるハンドオフ動作のためのリソースを準備するための方法９００を示す。方法９００は、たとえば、ワイヤレス通信ネットワーク（たとえば、ターゲットネットワーク２３０）および／または任意の他の適切なネットワークエンティティによって実行され得る。方法９００は、ブロック９０２において開始し、ここで、ソースシステムとＩＷＵとの間に通信トンネルが確立される。一態様によれば、通信トンネルは、アクセス独立プロトコルに基づき得る。たとえば、通信トンネルは、ソースシステムからＩＷＵおよび／または別の適切なネットワークノードへの一般的なＩＰトランスポートトンネルであり得る。
【００５６】
次に、ブロック９０４において、中継されたシグナリング（たとえば、最初にアクセス端末によって通信されたシグナリング）が、ブロック９０２において確立された通信トンネルを介してソースシステムからＩＷＵにおいて受信される。一例では、ブロック９０４において受信された中継されたシグナリングは、ソースシステムによって採用される無線アクセス技術にもかかわらず、方法９００を実行するエンティティによって利用される無線アクセス技術に基づき得る。次いで、方法９００は、ブロック９０６において終了することができ、ここで、ブロック９０４において受信されたシグナリングに基づいて、通信のためのリソースが準備される。
【００５７】
図１０は、第１のネットワーク（たとえば、ソースネットワーク２２０）から第２のネットワーク（たとえば、ターゲットネットワーク２３０）へのハンドオフを準備するための方法１０００を示す流れ図である。方法１０００は、たとえば、アクセス端末（たとえば、アクセス端末２１０）および／または任意の他の適切なネットワークエンティティによって実行され得ることが諒解されるべきである。方法１０００は、ブロック１００２において開始し、ここで、第１のアクセス方法を使用して第１のネットワークとの通信が確立される。次に、ブロック１００４において、第１のネットワークから、第２のアクセス方法を利用する第２のネットワークへの通信サービスの必要とされる変更が識別される。一例では、第１および第２のアクセス方法は、互いに異なることがある。たとえば、第１のアクセス方法は、非３ＧＰＰネットワークに基づき得、第２のアクセス方法は、Ｅ−ＵＴＲＡＮ（ＬＴＥ）ネットワークに基づき得る。
【００５８】
次いで、方法１０００は、ブロック１００６において終了することができ、ここで、第２のアクセス方法に基づく、ＩＷＵを介して第２のネットワークに向けられたシグナリングを第１のネットワークに通信することによって、第２のネットワークにおいてリソースが準備される。一例では、ブロック１００６において、第２のネットワークにおける後続の転送のために変換され、第２のネットワークにおけるＭＭＥに供給される、シグナリングをＩＷＵに供給することによって通信が行われ得る。別の例では、シグナリングは、１つまたは複数のＬ３トンネルを使用して通信され得る。シグナリングは、追加および／または代替として、一般的なＩＰパケットトランスポート技法を使用したシグナリングの転送を可能にするために、通信に先立ってデータパケットとしてカプセル化され得る。
【００５９】
次に図１１を参照すると、本明細書で説明される様々な態様が機能することができる、例示的なワイヤレス通信ネットワーク１１００を示すブロック図が与えられている。一例では、ネットワーク１１００は、送信機システム１１１０と受信機システム１１５０とを含む多入力多出力（ＭＩＭＯ）システムである。ただし、送信機システム１１１０および／または受信機システム１１５０は、たとえば、（たとえば、基地局上の）複数の送信アンテナが１つまたは複数のシンボルストリームを単一のアンテナデバイス（たとえば、アクセス端末）に送信することができる、多入力単出力システムにも適用され得ることが諒解されるべきである。さらに、本明細書で説明される送信機システム１１１０および／または受信機システム１１５０の態様は、単出力単入力アンテナシステムに関して利用され得ることが諒解されるべきである。
【００６０】
一態様によれば、送信機システム１１１０において、いくつかのデータストリームのトラフィックデータがデータソース１１１２から送信（ＴＸ）データプロセッサ１１１４に供給される。一例では、各データストリームは、次いで、それぞれの送信アンテナ１１２４を介して送信され得る。さらに、ＴＸデータプロセッサ１１１４は、符号化データを供給するために、それぞれのデータストリーム用に選択された特定の符号化方式に基づいて、データストリームごとにトラフィックデータをフォーマット化し、符号化し、インタリーブすることができる。一例では、各データストリームの符号化データは、次いで、ＯＦＤＭ技法を使用してパイロットデータで多重化され得る。パイロットデータは、たとえば、知られている方法で処理される知られているデータパターンであり得る。さらに、パイロットデータは、チャネル応答を推定するために受信機システム１１５０において使用され得る。送信機システム１１１０に戻ると、各データストリームの多重化されたパイロットデータおよび符号化データは、変調シンボルを供給するために、それぞれのデータストリーム用に選択された特定の変調方式（たとえば、ＢＰＳＫ、ＱＳＰＫ、Ｍ−ＰＳＫ、またはＭ−ＱＡＭ）に基づいて変調（すなわち、シンボルマッピング）され得る。一例では、各データストリームのデータレート、符号化、および変調は、プロセッサ１１３０上で実行される命令および／またはプロセッサ１１３０によって与えられる命令によって判断され得る。
【００６１】
次に、すべてのデータストリームの変調シンボルは、（たとえば、ＯＦＤＭ用に）変調シンボルをさらに処理することができるＴＸプロセッサ１１２０に供給され得る。次いで、ＴＸ  ＭＩＭＯプロセッサ１１２０は、ＮＴ個の変調シンボルストリームをＮＴ個のトランシーバ１１２２ａ〜１１２２ｔに供給することができる。一例では、各トランシーバ１１２２は、１つまたは複数のアナログ信号を供給するために、それぞれのシンボルストリームを受信し、処理することができる。次いで、各トランシーバ１１２２は、ＭＩＭＯチャネルを介して送信するのに適した変調信号を供給するために、それらのアナログ信号をさらに調整（たとえば、増幅、フィルタリング、およびアップコンバート）することができる。したがって、トランシーバ１１２２ａ〜１１２２ｔからのＮＴ個の変調信号は、次いで、それぞれ、ＮＴ個のアンテナ１１２４ａ〜１１２４ｔから送信され得る。
【００６２】
別の態様によれば、送信された変調信号は、ＮＲ個のアンテナ１１５２ａ〜１１５２ｒによって受信機システム１１５０において受信され得る。次いで、各アンテナ１１５２から受信した信号は、それぞれのトランシーバ１１５４に供給され得る。一例では、各トランシーバ１１５４は、サンプルを供給するために、それぞれの受信信号を調整（たとえば、フィルタリング、増幅、およびダウンコンバート）し、調整された信号をデジタル化して、次いで、対応する「受信」シンボルストリームを供給するために、それらのサンプルを処理することができる。次いで、ＲＸ  ＭＩＭＯ／データプロセッサ１１６０は、ＮＴ個の「検出」シンボルストリームを供給するために、特定の受信機処理技法に基づいてＮＲ個のトランシーバ１１５４からＮＲ個の受信シンボルストリームを受信し、処理することができる。一例では、各検出シンボルストリームは、対応するデータストリームに関して送信される変調シンボルの推定であるシンボルを含むことができる。次いで、ＲＸプロセッサ１１６０は、対応するデータストリームに関するトラフィックデータを復元するために、各検出シンボルストリームを少なくとも部分的に復調し、デインタリーブし、復号することによって、各シンボルストリームを処理することができる。したがって、ＲＸデータプロセッサ１１６０による処理は、送信機システム１１１０においてＴＸ  ＭＩＭＯプロセッサ１１２０およびＴＸデータプロセッサ１１１４によって実行される処理を補足するものであり得る。ＲＸプロセッサ１１６０は、さらに、処理されたシンボルストリームをデータシンク１１６４に供給することができる。
【００６３】
一態様によれば、ＲＸプロセッサ１１６０によって生成されるチャネル応答推定は、受信機において空間／時間処理を実行し、電力レベルを調整し、変調レートまたは方式を変更し、および／あるいは他の適切なアクションを実行するために使用され得る。さらに、ＲＸプロセッサ１１６０は、たとえば、検出シンボルストリームの信号対雑音干渉比（ＳＮＲ）などのチャネル特性をさらに推定することができる。次いで、ＲＸプロセッサ１１６０は、推定されたチャネル特性をプロセッサ１１７０に供給することができる。一例では、ＲＸプロセッサ１１６０および／またはプロセッサ１１７０は、システムに関する「動作」ＳＮＲの推定をさらに導出することができる。次いで、プロセッサ１１７０は、通信リンクおよび／または受信データストリームに関する情報を備えることができるチャネル状態情報（ＣＳＩ）を与えることができる。この情報は、たとえば、動作ＳＮＲを含むことができる。次いで、ＣＳＩは、ＴＸデータプロセッサ１１１８によって処理され、変調器１１８０によって変調され、トランシーバ１１５４ａ〜１１５４ｒによって調整され、送信機システム１１１０に返信され得る。さらに、受信機システム１１５０におけるデータソース１１１６は、ＴＸデータプロセッサ１１１８によって処理される追加のデータを与えることができる。
【００６４】
送信機システム１１１０に戻ると、次いで、受信機システム１１５０からの変調信号は、受信機システム１１５０によって報告されたＣＳＩを復元するために、アンテナ１１２４によって受信され、トランシーバ１１２２によって調整され、復調器１１４０によって復調され、ＲＸデータプロセッサ１１４２によって処理されることができる。一例では、報告されたＣＳＩは、次いで、１つまたは複数のデータストリームのために使用されるべきデータレートならびに符号化および変調方式を判断するために、プロセッサ１１３０に供給され、使用され得る。次いで、判断された符号化および変調方式は、受信機システム１１５０への後の送信における量子化および／または使用のために、トランシーバ１１２２に供給され得る。追加および／または代替として、報告されたＣＳＩは、ＴＸデータプロセッサ１１１４およびＴＸ  ＭＩＭＯプロセッサ１１２０のための様々な制御を生成するためにプロセッサ１１３０によって使用され得る。別の例では、ＲＸデータプロセッサ１１４２によって処理されるＣＳＩおよび／または他の情報は、データシンク１１４４に供給され得る。
【００６５】
一例では、送信機システム１１１０におけるプロセッサ１１３０および受信機システム１１５０におけるプロセッサ１１７０は、それらのそれぞれのシステムにおいて動作を指令する。さらに、送信機システム１１１０におけるメモリ１１３２および受信機システム１１５０におけるメモリ１１７２は、それぞれ、プロセッサ１１３０および１１７０によって使用されるプログラムコードおよびデータの記憶域を与えることができる。さらに、受信機システム１１５０において、ＮＲ個の受信信号を処理して、ＮＴ個の送信シンボルストリームを検出するために、様々な処理技法が使用され得る。これらの受信機処理技法は、等化技法とも呼ばれることがある空間および時空間受信機処理技法、ならびに／あるいは「逐次干渉消去」または「逐次消去」受信機処理技法とも呼ばれることがある「逐次ヌリング／等化および干渉消去」受信機処理技法を含むことができる。
【００６６】
図１２は、本明細書で説明される様々な態様による、ワイヤレス通信システムにおけるハンドオフ動作の管理を可能にするネットワーク１２００のブロック図である。一例では、ネットワーク１２００は、基地局またはアクセスポイント１２０２を含む。図示のように、アクセスポイント１２０２は、１つまたは複数の受信（Ｒｘ）アンテナ１２０６を介して１つまたは複数のアクセス端末１２０４から（１つまたは複数の）信号を受信し、１つまたは複数の送信（Ｔｘ）アンテナ１２０８を介して１つまたは複数のアクセス端末１２０４にその信号を送信することができる。
【００６７】
さらに、アクセスポイント１２０２は、（１つまたは複数の）受信アンテナ１２０６から情報を受信する受信機１２１０を備えることができる。一例では、受信機１２１０は、受信した情報を復調する復調器（Ｄｅｍｏｄ）１２１２に動作可能に結合され得る。次いで、復調されたシンボルは、プロセッサ１２１４によって分析され得る。プロセッサ１２１４は、コードクラスタ、アクセス端末割当て、それに関するルックアップテーブル、固有のスクランブル系列に関する情報、および／または他の適切なタイプの情報を記憶することができるメモリ１２１６に結合され得る。一例では、アクセスポイント１２０２は、方法８００ならびに／または他の同様のおよび適切な方法を実行するために、プロセッサ１２１４を採用することができる。アクセスポイント１２０２はまた、送信機１２２０によって（１つまたは複数の）送信アンテナ１２０８を介して送信するために信号を多重化することができる変調器１２１８を含むことができる。
【００６８】
図１３は、ソースネットワークから受信されたターゲットネットワークシグナリングの変換（translation）または変換（conversion）を可能にするＩｎｔｅｒＷｏｒｋｉｎｇ  Ｕｎｉｔ（インターワーキングユニット：ＩＷＵ）１３００のブロック図である。図示のように、ＩＷＵ１３００は、ソースネットワークとの形成されたトンネルを介してシグナリングを送信および受信することができ、ＩＷＵ１３００は、ターゲットネットワークとのデータネットワークインターフェース（たとえば、Ｓ１０１）を介してシグナリングを送信および受信することができる。
【００６９】
さらに、ＩＷＵ１３００は、入出力インターフェース１３０８から情報を受信する受信機１３１０と、データネットワーク１３０４を通して入出力インターフェース１３０８を介して情報を送信する送信機と、を備えることができる。ＩＷＵ１３００は、方法９００ならびに／または他の同様のおよび適切な方法を実行するためのデータおよび／またはプログラムコードを記憶することができるメモリ１３１６に結合されたプロセッサ１３１４をさらに含む。
【００７０】
図１４は、本明細書で説明される様々な態様による、ワイヤレス通信システムにおけるハンドオフの管理を可能にする、さらなるネットワーク１４００のブロック図である。一例では、ネットワーク１４００は、アクセス端末１４０２を含む。図示のように、アクセス端末１４０２は、１つまたは複数のアンテナ１４０８を介して、１つまたは複数のノードＢ１４０４から（１つまたは複数の）信号を受信し、１つまたは複数のノードＢ１４０４にその信号を送信することができる。さらに、アクセス端末１４０２は、（１つまたは複数の）アンテナ１４０８から情報を受信する受信機１４１０を備えることができる。一例では、受信機１４１０は、受信した情報を復調する復調器（Ｄｅｍｏｄ）１４１２に動作可能に結合され得る。次いで、復調されたシンボルは、プロセッサ１４１４によって分析され得る。プロセッサ１４１４は、アクセス端末１４０２に関するデータおよび／またはプログラムコードを記憶することができるメモリ１４１６に結合され得る。さらに、アクセス端末１４０２は、方法１０００ならびに／または他の同様のおよび適切な方法を実行するために、プロセッサ１４１４を採用することができる。アクセス端末１４０２はまた、送信機１４２０によって（１つまたは複数の）アンテナ１４０８を介して送信するために信号を多重化することができる変調器１４１８を含むことができる。
【００７１】
図１５は、ワイヤレス通信システムにおけるハンドオフの準備および管理を可能にする装置１５００を示す。装置１５００は機能ブロックを含むものとして表されており、その機能ブロックは、プロセッサ、ソフトウェア、またはそれらの組合せ（たとえば、ファームウェア）によって実装される機能を表す機能ブロックであり得ることが諒解されるべきである。装置１５００は、アクセスポイント（たとえば、ソースシステム２２０）および／または任意の他の適切なネットワークエンティティにおいて実装され得、第１のアクセス方法を使用して第１のネットワークとの通信を確立するための手段１５０２と、第１のネットワークから、第１のアクセス方法とは異なる第２のアクセス方法を利用する第２のネットワークへの通信サービスの必要とされる変更を識別するための手段１５０４と、肯定の判断時にターゲットネットワークにおけるリソースの準備を可能にするために、受信したシグナリングをターゲットネットワークにトンネリングするための手段１５０６と、を含むことができる。
【００７２】
図１６は、ソースシステムからのハンドオフのためのリソース準備を可能にする装置１６００を示す。装置１６００は、機能ブロックを含むものとして表されており、その機能ブロックは、プロセッサ、ソフトウェア、またはそれらの組合せ（たとえば、ファームウェア）によって実装される機能を表す機能ブロックであり得ることが諒解されるべきである。装置１６００は、インターワーキングユニット（ＩＷＵ）（たとえば、ＩＷＵ４２６）および／または任意の他の適切なネットワークエンティティにおいて実装され得、ソースネットワークに関連するシグナリング方法に基づいて通信されたターゲットネットワークのシグナリングを識別するための手段１６０２と、ターゲットネットワークへの通信リンクを確立するための手段１６０４と、確立された通信リンクを使用して、ターゲットネットワークに関連するシグナリング方法に基づいて、識別されたシグナリングをターゲットネットワークに通信することによって、ターゲットネットワークへのハンドオフのためのリソースを準備するための手段１６０６と、を含むことができる。
【００７３】
図１７は、ワイヤレス通信システムにおけるハンドオフのためのインターアクセスシステム準備を可能にする装置１７００を示す。装置１７００は、機能ブロックを含むものとして表されており、その機能ブロックは、プロセッサ、ソフトウェア、またはそれらの組合せ（たとえば、ファームウェア）によって実装される機能を表す機能ブロックであり得ることが諒解されるべきである。装置１７００は、ターゲットネットワーク（たとえば、ターゲットネットワーク２３０）および／または任意の他の適切なネットワークエンティティにおいて実装され得、インターワーキングユニットとの通信リンクを確立するための手段１７０２と、インターワーキングユニットを介して最初にソースネットワークから通信された中継されたシグナリングを受信するための手段１７０４と、受信したシグナリングに基づいて通信のためのリソースを準備するための手段１７０６と、を含むことができる。
【００７４】
本明細書で説明された態様は、ハードウェア、ソフトウェア、ファームウェア、ミドルウェア、マイクロコード、またはそれらの任意の組合せで実装され得ることが理解されるべきである。システムおよび／または方法は、ソフトウェア、ファームウェア、ミドルウェアまたはマイクロコード、プログラムコードまたはコードセグメントにおいて実装された場合、記憶コンポーネントなどの機械可読媒体に記憶され得る。コードセグメントは、プロシージャ、関数、サブプログラム、プログラム、ルーチン、サブルーチン、モジュール、手段、ソフトウェアパッケージ、クラス、または命令、データ構造もしくはプログラムステートメントの任意の組合せを表すことができる。コードセグメントは、情報、データ、引数、パラメータ、またはメモリ内容をパスおよび／または受信することによって、別のコードセグメントまたはハードウェア回路に結合され得る。情報、引数、パラメータ、データなどは、メモリ共有、メッセージパッシング、トークンパッシング、ネットワーク送信などを含む、適切な手段を使用してパス、転送、または送信され得る。
【００７５】
ソフトウェア実装の場合、本明細書で説明される技法は、本明細書で説明される機能を実行するモジュール（たとえば、プロシージャ、関数など）を用いて実装され得る。ソフトウェアコードは、メモリユニットに記憶され、プロセッサによって実行され得る。メモリユニットは、プロセッサの内部またはプロセッサの外部に実装され得、その場合、当技術分野で知られているように様々な手段によってプロセッサに通信可能に結合され得る。
【００７６】
以上の説明は１つまたは複数の態様の例を含む。もちろん、上述の態様ついて説明する目的で、コンポーネントまたは方法のあらゆる考えられる組合せについて説明することは不可能であるが、当業者なら、様々な態様の多数のさらなる組合せおよび置換が可能であることを認識できよう。したがって、説明された態様は、添付の特許請求の範囲の趣旨および範囲内に入るすべてのそのような改変形態、変更形態、および変形形態を包含することが意図される。さらに、「含む（include）」という用語は、発明を実施するための形態または特許請求の範囲のいずれかで使用される限り、「備える（comprising）」という用語を使用すると請求項における移行語と解釈されるように「備える（comprising）」と同様に包括的であることが意図される。さらに、発明を実施するための形態または特許請求の範囲のいずれかで使用される「または（or）」という用語は、「非排他的なまたは（non-exclusive or）」であることが意味される。
【図１】
2011523307.tif 000003
【図２】
2011523307.tif 000004
【図３】
2011523307.tif 000005
【図４】
2011523307.tif 000006
【図５Ａ】
2011523307.tif 000007
【図５Ｂ】
2011523307.tif 000008
【図５Ｃ】
2011523307.tif 000009
【図６】
2011523307.tif 000010
【図７】
2011523307.tif 000011
【図８】
2011523307.tif 000012
【図９】
2011523307.tif 000013
【図１０】
2011523307.tif 000014
【図１１】
2011523307.tif 000015
【図１２】
2011523307.tif 000016
【図１３】
2011523307.tif 000017
【図１４】
2011523307.tif 000018
【図１５】
2011523307.tif 000019
【図１６】
2011523307.tif 000020
【図１７】
2011523307.tif 000021
【国際調査報告】
2011523307.tif 000022
2011523307.tif 000023
2011523307.tif 000024
2011523307.tif 000025